(57)【要約】【課題】移動先の呼出エリアへの移動中に関わるスレ違いによる呼出不応答を確実に回避しながら、無駄な着信報知に伴うシステム全体の処理負担を大幅に軽減することができる無線システムを提供する。【解決手段】無線基地局３の呼出ゾーンで構成する呼出エリアを予め設定しておき、呼出エリア単位で無線端末２を位置登録すると共に、無線端末に対する着信要求が発生した場合、同無線端末が位置登録中の呼出エリアに属する無線基地局経由で同無線端末への着信を報知するＰＢＸ５を備えたＰＢＸ無線システム１であって、無線端末は、位置登録中の呼出エリアから移動先の呼出エリアへの移動を推定検知する移動推定検知処理部２８と、移動先の呼出エリアへの移動を推定検知した場合、ＰＢＸに対して、移動先の呼出エリアへの移動を予告する移動予告を通知する移動予告通知部２９とを有している。【選択図】図１
2009038590.tif 000002
【特許請求の範囲】
【請求項１】
少なくとも一以上の無線基地局の呼出ゾーンで構成する呼出エリアを予め設定しておき、前記呼出エリア単位で無線端末を位置登録すると共に、前記無線端末に対する着信要求が発生した場合、同無線端末が位置登録中の呼出エリアに属する無線基地局経由で同無線端末への着信を報知する制御装置を備えた無線システムであって、
前記無線端末は、
前記制御装置に位置登録中の呼出エリアから移動先の呼出エリアへの移動を推定検知する移動推定検知手段と、
この移動推定検知手段にて前記移動先の呼出エリアへの移動を推定検知した場合、前記制御装置に対して、前記移動先の呼出エリアへの移動を予告する移動予告を通知する移動予告通知手段とを有することを特徴とする無線システム。
【請求項２】
前記移動推定検知手段は、
前記位置登録中の呼出エリアに属する無線基地局からの無線信号強度が所定時間継続して所定閾値以下の場合、前記移動先の呼出エリアへの移動を推定検知することを特徴とする請求項１記載の無線システム。
【請求項３】
前記移動推定検知手段は、
前記位置登録中の呼出エリアに属する無線基地局からの無線信号強度が同位置登録中の呼出エリア以外の他の呼出エリアに属する無線基地局からの無線信号強度よりも所定時間継続して小さい場合、前記他の呼出エリアに属する無線基地局からの無線信号強度の内、最大の無線信号強度の無線基地局が属する呼出エリアへの移動を前記移動先の呼出エリアへの移動として推定検知することを特徴とする請求項１記載の無線システム。
【請求項４】
前記移動推定検知手段は、
前記位置登録中の呼出エリアに属する無線基地局からの無線信号強度が所定閾値以下、かつ前記位置登録中の呼出エリアに属する無線基地局からの無線信号強度が同位置登録中の呼出エリア以外の他の呼出エリアに属する無線基地局からの無線信号強度よりも所定時間継続して小さい場合、前記他の呼出エリアに属する無線基地局からの無線信号強度の内、最大の無線信号強度の無線基地局が属する呼出エリアへの移動を前記移動先の呼出エリアへの移動として推定検知することを特徴とする請求項１記載の無線システム。
【請求項５】
前記制御装置は、
前記呼出エリア毎に、同呼出エリアに隣接する周辺の呼出エリアのエリア情報を予め記憶した周辺呼出エリア記憶手段を有し、
前記無線端末側の前記移動予告通知手段からの前記移動予告を受信した後、この無線端末の移動先の呼出エリアに属する無線基地局経由での位置登録要求を受信する前に、同無線端末への着信要求が発生した場合、同無線端末が位置登録中の呼出エリアに属する無線基地局に加えて、前記周辺呼出エリア記憶手段に記憶中のエリア情報に基づき、同位置登録中の呼出エリアに隣接する周辺呼出エリアに属する無線基地局経由で同無線端末への着信を報知することを特徴とする請求項１，２，３又は４記載の無線システム。
【請求項６】
前記制御装置は、
前記呼出エリア毎に、同呼出エリアに隣接する周辺の無線基地局の基地局情報を予め記憶した周辺基地局記憶手段を有し、
前記無線端末側の前記移動予告通知手段からの前記移動予告を受信した後、この無線端末の移動先の呼出エリアに属する無線基地局経由での位置登録要求を受信する前に、同無線端末への着信要求が発生した場合、同無線端末が位置登録中の呼出エリアに属する無線基地局に加えて、前記周辺基地局記憶手段に記憶中の基地局情報に基づき、同位置登録中の呼出エリアに隣接する周辺の無線基地局経由で同無線端末への着信を報知することを特徴する請求項１，２，３又は４記載の無線システム。
【請求項７】
前記制御装置は、
前記無線端末が位置登録中の呼出エリア以外の呼出エリアに属する無線基地局経由で発信端末からの着信に対して同無線端末が応答した場合、前記発信端末及び無線端末間の通信を確立することを特徴とする請求項５又は６記載の無線システム。
【請求項８】
前記制御装置は、
前記無線端末を無線収容する無線基地局を収容接続すると共に、前記無線基地局経由で前記無線端末を呼制御する構内交換機で構成することを特徴とする請求項１，２，３，４，５，６又は７記載の無線システム。
【請求項９】
前記制御装置は、
前記無線基地局と直接又は基地局ゲートウェイ経由でＩＰネットワークに接続するゲートキーパ装置で構成することを特徴とする請求項１，２，３，４，５，６又は７記載の無線システム。
【請求項１０】
前記制御装置は、
前記無線基地局と直接又は基地局ゲートウェイ経由でＩＰネットワークに接続するＳＩＰプロキシサーバで構成することを特徴とする請求項１，２，３，４，５，６又は７記載の無線システム。
【発明の詳細な説明】
【技術分野】
【０００１】
本発明は、例えばＰＨＳ等の無線端末を無線収容する無線基地局と、この無線基地局を収容接続する、例えば構内交換機（ＰＢＸ）、ＳＩＰプロキシサーバやゲートキーパ等の制御装置とを有し、制御装置は、無線基地局経由で無線端末の位置情報を位置登録し、同無線端末に対する着信要求が発生した場合、同位置登録中の無線基地局経由で同無線端末への着信を報知する機能を備えた無線システムに関する。
【背景技術】
【０００２】
従来、このような無線システムにおいては、無線端末を無線収容する無線基地局と、この無線基地局を収容接続する制御装置とを有し、制御装置は、無線端末の現在位置に相当する呼出ゾーン内の無線基地局を通じて同無線端末の位置登録要求を検出すると、同無線端末の位置情報を位置登録管理するものであって、例えば無線端末が移動元の呼出ゾーンから移動先の呼出ゾーンへ移動した場合、無線端末は、移動先の呼出ゾーン内の無線基地局を通じて制御装置に対して位置登録を要求するものである。
【０００３】
しかしながら、制御装置では、無線端末が移動元の呼出ゾーンから移動先の呼出ゾーンへ移動する場合、移動先の呼出ゾーンへの移動に応じて位置登録を要求し、移動先の呼出ゾーンを同無線端末の位置情報として登録することになるが、この移動先の呼出ゾーンを位置情報として登録が完了するまでに同無線端末への着信要求が発生した場合、同無線端末の位置情報が位置登録完了前の移動元の呼出ゾーン内にあるものと判断し、同移動元の呼出ゾーン内の無線基地局経由で同無線端末に対する着信を報知することになるため、位置登録更新中に着信要求が発生した場合はスレ違いによる呼出不応答が発生する虞がある。
【０００４】
そこで、このようなスレ違いによる呼出不応答の発生を回避するために、無線端末が位置する呼出ゾーンの他に、同呼出ゾーンに隣接する周辺呼出ゾーンを予め登録しておき、同無線端末への着信要求が発生した場合は、位置登録中の呼出ゾーンの無線基地局の他に、同位置登録中の呼出ゾーンの周辺呼出ゾーンの無線基地局でも、同無線端末への着信を報知するようにしたので、移動先の呼出ゾーンへの移動中に同無線端末への着信要求が発生したとしても、スレ違いによる呼出不応答を確実に回避することができる（例えば特許文献１参照）。
【０００５】
また、このようなスレ違いによる呼出不応答の発生を回避するために、例えば、無線端末毎に着信を報知する呼出ゾーンのゾーン範囲、例えば全呼出ゾーンや一部呼出ゾーン等のようにゾーン範囲を設定変更する許容度を予め設定しておき、例えば無線端末への着信要求が発生した場合、同無線端末の許容度に応じて、例えば全呼出ゾーン内の無線基地局経由で同無線端末への着信を一斉報知するようにしたので、移動先の呼出ゾーンへの移動中に、同無線端末への着信要求が発生したとしても、スレ違いによる呼出不応答を確実に回避することができる（例えば特許文献２参照）。
【特許文献１】特開平２−２９９３９０号公報（特許請求の範囲及び図１参照）
【特許文献２】特開平８−３３６１８０号公報（要約書及び図１参照）
【発明の開示】
【発明が解決しようとする課題】
【０００６】
しかしながら、上記特許文献１の無線システムによれば、呼出ゾーン及び、同呼出ゾーンに隣接する周辺呼出ゾーンを予め登録しておき、無線端末への着信要求が発生した場合、同無線端末が移動先の呼出ゾーンへ移動中であるか否かに関係なく、無条件に、同無線端末が位置登録中の呼出ゾーン内の無線基地局及び、周辺呼出ゾーン内の無線基地局経由で同無線端末への着信を報知するようにしたが、無線端末が位置登録中の呼出ゾーン内に位置している場合でも、周辺呼出ゾーン内の無線基地局経由で同無線端末への着信を報知することになるため、無駄な着信が増え、その結果、無線システム全体の処理負担が大きくなる虞がある。
【０００７】
また、上記特許文献２の無線システムによれば、無線端末毎に呼出ゾーン範囲を設定する許容度を付与し、同無線端末への着信要求が発生し、同無線端末の許容度に対応する呼出ゾーン範囲が全呼出ゾーンの場合、無線端末が移動先の呼出ゾーンへ移動中であるか否かに関係なく、無条件に、全呼出ゾーン内の無線基地局経由で同無線端末への着信を一斉報知するようにしたが、例えば無線端末が位置登録中の呼出ゾーン内に位置している場合でも、全呼出ゾーン内の無線基地局経由で同無線端末への着信を報知することになるため、無駄な着信が増え、その結果、無線システム全体の処理負担が大きくなる虞がある。
【０００８】
また、近年の無線システムにおいては、複数台の無線基地局の呼出ゾーンで構成する呼出エリアを予め設定し、呼出エリア単位で無線端末を位置登録するシステムも広く普及しつつあるが、スレ違いによる呼出不応答を回避するために、例えば呼出エリア及び、同呼出エリアに隣接する周辺の呼出エリアを予め設定し、無線端末への着信要求が発生した場合、同無線端末が移動先の呼出エリアへ移動中であるか否かに関係なく、無条件に、同無線端末が位置登録中の呼出エリア内の無線基地局及び、周辺呼出エリア内の無線基地局経由で同無線端末への着信を報知することも考えられるが、呼出エリア内では、複数の無線基地局を収容しているため、同無線端末が位置登録中の呼出エリア内に位置している場合でも、周辺呼出エリア内の無線基地局経由で同無線端末への着信を報知することになるため、無駄な着信が増え、その結果、無線システム全体の処理負担が大きくなる虞がある。
【０００９】
本発明は上記点に鑑みてなされたものであり、その目的とするところは、移動先の呼出エリアへの移動中に関わるスレ違いによる呼出不応答を確実に回避しながら、無駄な着信報知に伴うシステム全体の処理負担を大幅に軽減することができる無線システムを提供することにある。
【課題を解決するための手段】
【００１０】
上記目的を達成するために本発明の無線システムは、少なくとも一以上の無線基地局の呼出ゾーンで構成する呼出エリアを予め設定しておき、前記呼出エリア単位で無線端末を位置登録すると共に、前記無線端末に対する着信要求が発生した場合、同無線端末が位置登録中の呼出エリアに属する無線基地局経由で同無線端末への着信を報知する制御装置を備えた無線システムであって、前記無線端末は、前記制御装置に位置登録中の呼出エリアから移動先の呼出エリアへの移動を推定検知する移動推定検知手段と、この移動推定検知手段にて前記移動先の呼出エリアへの移動を推定検知した場合、前記制御装置に対して、前記移動先の呼出エリアへの移動を予告する移動予告を通知する移動予告通知手段とを有するようにした。
【発明の効果】
【００１１】
上記のように構成された本発明の無線システムによれば、無線端末が移動先の呼出エリアへの移動を推定検知した場合、制御装置に対して、前記移動先の呼出エリアへの移動を予告する移動予告を通知するようにしたので、例えば制御装置側では移動予告に基づき、同無線端末が移動先の呼出エリアへの移動中と判断することができるため、同無線端末が位置登録中の呼出エリア内に位置する場合は、通常の同呼出エリア内の無線基地局経由で同無線端末への着信を報知し、同無線端末が移動先の呼出エリアへの移動中の場合にのみ、スレ違いによる呼出不応答を回避するための着信報知を実行することが可能となって、無駄な着信報知を軽減することができるため、その結果、スレ違いによる呼出不応答を確実に回避しながら、無駄な着信報知に伴うシステム全体の処理負担を大幅に軽減することができる。
【発明を実施するための最良の形態】
【００１２】
本願請求項１記載の無線システムは、少なくとも一以上の無線基地局の呼出ゾーンで構成する呼出エリアを予め設定しておき、前記呼出エリア単位で無線端末を位置登録すると共に、前記無線端末に対する着信要求が発生した場合、同無線端末が位置登録中の呼出エリアに属する無線基地局経由で同無線端末への着信を報知する制御装置を備えた無線システムであって、前記無線端末は、前記制御装置に位置登録中の呼出エリアから移動先の呼出エリアへの移動を推定検知する移動推定検知手段と、この移動推定検知手段にて前記移動先の呼出エリアへの移動を推定検知した場合、前記制御装置に対して、前記移動先の呼出エリアへの移動を予告する移動予告を通知する移動予告通知手段とを有するようにした。
【００１３】
従って、本願請求項１記載の無線システムによれば、無線端末が移動先の呼出エリアへの移動を推定検知した場合、制御装置に対して、前記移動先の呼出エリアへの移動を予告する移動予告を通知するようにしたので、例えば制御装置側では移動予告に基づき、同無線端末が移動先の呼出エリアへの移動中と判断することができるため、同無線端末が位置登録中の呼出エリア内に位置する場合は、通常の同呼出エリア内の無線基地局経由で同無線端末への着信を報知し、同無線端末が移動先の呼出エリアへの移動中の場合にのみ、スレ違いによる呼出不応答を回避するための着信報知を実行することが可能となって、無駄な着信報知を軽減することができるため、その結果、スレ違いによる呼出不応答を確実に回避しながら、無駄な着信報知に伴うシステム全体の処理負担を大幅に軽減することができる。
【００１４】
また、本願請求項２記載の無線システムは、本願請求項１記載の構成において、前記移動推定検知手段は、前記位置登録中の呼出エリアに属する無線基地局からの無線信号強度が所定時間継続して所定閾値以下の場合、前記移動先の呼出エリアへの移動を推定検知するようにした。
【００１５】
従って、本願請求項２記載の無線システムによれば、本願請求項１記載の効果に加えて、前記位置登録中の呼出エリアに属する無線基地局からの無線信号強度が所定時間継続して所定閾値以下の場合、前記移動先の呼出エリアへの移動を推定検知するようにしたので、位置登録中の呼出エリアに属する無線基地局からの無線信号強度に着目することで、位置登録中の呼出エリアの無線信号が届かなくなる前に、前記無線端末側の移動先の呼出エリアへの移動を簡単に認識することができる。
【００１６】
また、本願請求項３記載の無線システムは、本願請求項１記載の構成において、前記移動推定検知手段は、前記位置登録中の呼出エリアに属する無線基地局からの無線信号強度が同位置登録中の呼出エリア以外の他の呼出エリアに属する無線基地局からの無線信号強度よりも所定時間継続して小さい場合、前記他の呼出エリアに属する無線基地局からの無線信号強度の内、最大の無線信号強度の無線基地局が属する呼出エリアへの移動を前記移動先の呼出エリアへの移動として推定検知するようにした。
【００１７】
従って、本願請求項３記載の無線システムによれば、本願請求項１記載の効果に加えて、前記位置登録中の呼出エリアに属する無線基地局からの無線信号強度が同位置登録中の呼出エリア以外の他の呼出エリアに属する無線基地局からの無線信号強度よりも所定時間継続して小さい場合、前記他の呼出エリアに属する無線基地局からの無線信号強度の内、最大の無線信号強度の無線基地局が属する呼出エリアへの移動を移動先の呼出エリアへの移動として推定検知するようにしたので、位置登録中の呼出エリアに属する無線基地局からの無線信号強度及び他の呼出エリアに属する無線基地局からの無線信号強度の比較結果に着目することで、位置登録中の呼出エリアの無線信号が届かなくなる前に、無線端末側の移動先の呼出エリアへの移動を簡単に認識することができる。
【００１８】
また、本願請求項４記載の無線システムは、本願請求項１記載の構成において、前記移動推定検知手段は、前記位置登録中の呼出エリアに属する無線基地局からの無線信号強度が所定閾値以下、かつ前記位置登録中の呼出エリアに属する無線基地局からの無線信号強度が同位置登録中の呼出エリア以外の他の呼出エリアに属する無線基地局からの無線信号強度よりも所定時間継続して小さい場合、前記他の呼出エリアに属する無線基地局からの無線信号強度の内、最大の無線信号強度の無線基地局が属する呼出エリアへの移動を前記移動先の呼出エリアへの移動として推定検知するようにした。
【００１９】
従って、本願請求項４記載の無線システムによれば、本願請求項１記載の効果に加えて、前記位置登録中の呼出エリアに属する無線基地局からの無線信号強度が所定閾値以下、かつ前記位置登録中の呼出エリアに属する無線基地局からの無線信号強度が同位置登録中の呼出エリア以外の他の呼出エリアに属する無線基地局からの無線信号強度よりも所定時間継続して小さい場合、前記他の呼出エリアに属する無線基地局からの無線信号強度の内、最大の無線信号強度の無線基地局が属する呼出エリアへの移動を前記移動先の呼出エリアへの移動として推定検知するようにしたので、位置登録中の呼出エリアに属する無線基地局からの無線信号強度、さらには、位置登録中の呼出エリアに属する無線基地局からの無線信号強度及び他の呼出エリアに属する無線基地局からの無線信号強度の比較結果に着目することで、位置登録中の呼出エリアの無線信号が届かなくなる前に、前記無線端末側の移動先の呼出エリアへの移動を正確かつ簡単に認識することができる。
【００２０】
また、本願請求項５記載の無線システムは、本願請求項１，２，３又は４記載の構成において、前記制御装置は、前記呼出エリア毎に、同呼出エリアに隣接する周辺の呼出エリアのエリア情報を予め記憶した周辺呼出エリア記憶手段を有し、前記無線端末側の前記移動予告通知手段からの前記移動予告を受信した後、この無線端末の移動先の呼出エリアに属する無線基地局経由での位置登録要求を受信する前に、同無線端末への着信要求が発生した場合、同無線端末が位置登録中の呼出エリアに属する無線基地局に加えて、前記周辺呼出エリア記憶手段に記憶中のエリア情報に基づき、同位置登録中の呼出エリアに隣接する周辺呼出エリアに属する無線基地局経由で同無線端末への着信を報知するようにした。
【００２１】
従って、本願請求項５記載の無線システムによれば、本願請求項１，２，３又は４記載の効果に加えて、前記無線端末側の前記移動予告通知手段からの前記移動予告を受信した後、この無線端末の移動先の呼出エリアに属する無線基地局経由での位置登録要求を受信する前に、同無線端末への着信要求が発生した場合、同無線端末が位置登録中の呼出エリアに属する無線基地局に加えて、前記周辺呼出エリア記憶手段に記憶中のエリア情報に基づき、同位置登録中の呼出エリアに隣接する周辺呼出エリアに属する無線基地局経由で同無線端末への着信を報知するようにしたので、同無線端末が移動先の呼出エリアへの移動中の場合にのみ、同無線端末が位置登録中の呼出エリアに属する無線基地局に加えて、同位置登録中の呼出エリアに隣接する周辺呼出エリアに属する無線基地局経由で同無線端末への着信を報知して無駄な着信報知を軽減することができるため、その結果、スレ違いによる呼出不応答を確実に回避しながら、無駄な着信報知に伴うシステム全体の処理負担を大幅に軽減することができる。
【００２２】
また、本願請求項６記載の無線システムは、本願請求項１，２，３又は４記載の構成において、前記制御装置は、前記呼出エリア毎に、同呼出エリアに隣接する周辺の無線基地局の基地局情報を予め記憶した周辺基地局記憶手段を有し、前記無線端末側の前記移動予告通知手段からの前記移動予告を受信した後、この無線端末の移動先の呼出エリアに属する無線基地局経由での位置登録要求を受信する前に、同無線端末への着信要求が発生した場合、同無線端末が位置登録中の呼出エリアに属する無線基地局に加えて、前記周辺基地局記憶手段に記憶中の基地局情報に基づき、同位置登録中の呼出エリアに隣接する周辺の無線基地局経由で同無線端末への着信を報知するようにした。
【００２３】
従って、本願請求項６記載の無線システムによれば、本願請求項１，２，３又は４記載の効果に加えて、前記無線端末側の前記移動予告通知手段からの前記移動予告を受信した後、この無線端末の移動先の呼出エリアに属する無線基地局経由での位置登録要求を受信する前に、同無線端末への着信要求が発生した場合、同無線端末が位置登録中の呼出エリアに属する無線基地局に加えて、前記周辺基地局記憶手段に記憶中の基地局情報に基づき、同位置登録中の呼出エリアに隣接する周辺の無線基地局経由で同無線端末への着信を報知するようにしたので、同無線端末が移動先の呼出エリアへの移動中の場合にのみ、同無線端末が位置登録中の呼出エリアに属する無線基地局に加えて、同位置登録中の呼出エリアに隣接する周辺の無線基地局経由で同無線端末への着信を報知する、すなわち呼出エリア単位ではなく、無線基地局単位で無駄な着信報知を最小限に抑制することができるため、その結果、スレ違いによる呼出不応答を確実に回避しながら、無駄な着信報知に伴うシステム全体の処理負担を大幅に軽減することができる。
【００２４】
また、本願請求項７記載の無線システムは、本願請求項５又は６記載の構成において、前記制御装置は、前記無線端末が位置登録中の呼出エリア以外の呼出エリアに属する無線基地局経由で発信端末からの着信に対して同無線端末が応答した場合、前記発信端末及び無線端末間の通信を確立するようにした。
【００２５】
従って、本願請求項７記載の無線システムによれば、本願請求項５又は６記載の効果に加えて、前記無線端末が位置登録中の呼出エリア以外の呼出エリアに属する無線基地局経由で発信端末からの着信に対して同無線端末が応答した場合、前記発信端末及び無線端末間の通信を確立するようにしたので、移動先の呼出エリアへの移動中に同無線端末への着信要求が発生したとしても、スレ違いによる呼出不応答を確実に回避することができる。
【００２６】
また、本願請求項８記載の無線システムは、本願請求項１，２，３，４，５，６又は７記載の構成において、前記制御装置は、前記無線端末を無線収容する無線基地局を収容接続すると共に、前記無線基地局経由で前記無線端末を呼制御する構内交換機で構成するようにした。
【００２７】
従って、本願請求項８記載の無線システムによれば、本願請求項１，２，３，４，５，６又は７記載の効果に加えて、前記制御装置は、前記無線端末を無線収容する無線基地局を収容接続すると共に、前記無線基地局経由で前記無線端末を呼制御する構内交換機で構成するようにしたので、構内交換機を備えたＰＢＸ無線システムにも適用することができる。
【００２８】
また、本願請求項９記載の無線システムは、本願請求項１，２，３，４，５，６又は７記載の構成において、前記制御装置は、前記無線基地局と直接又は基地局ゲートウェイ経由でＩＰネットワークに接続するゲートキーパ装置で構成するようにした。
【００２９】
従って、本願請求項９記載の無線システムによれば、本願請求項１，２，３，４，５，６又は７記載の効果に加えて、前記制御装置は、前記無線基地局と直接又は基地局ゲートウェイ経由でＩＰネットワークに接続するゲートキーパ装置で構成するようにしたので、ゲートキーパ装置を備えたＨ．３２３無線システムにも適用することができる。
【００３０】
また、本願請求項１０記載の無線システムは、本願請求項１，２，３，４，５，６又は７記載の構成において、前記制御装置は、前記無線基地局と直接又は基地局ゲートウェイ経由でＩＰネットワークに接続するＳＩＰプロキシサーバで構成するようにした。
【００３１】
従って、本願請求項１０記載の無線システムによれば、本願請求項１，２，３，４，５，６又は７記載の効果に加えて、前記制御装置は、前記無線基地局と直接又は基地局ゲートウェイ経由でＩＰネットワークに接続するＳＩＰプロキシサーバで構成するようにしたので、ＳＩＰプロキシサーバを備えたＳＩＰ無線システムにも適用することができる。
【００３２】
以下、図面に基づいて本発明の無線システムに関わる実施の形態について説明する。
【００３３】
（実施の形態１）
図１は第１の実施の形態を示すＰＢＸ無線システム内部の概略構成を示すブロック図である。
【００３４】
図１に示すＰＢＸ無線システム１は、無線端末２と、この無線端末２を無線収容する複数台の無線基地局３と、発信端末４と、これら無線基地局３及び発信端末４を収容接続する構内交換機（ＰＢＸ）５とを有し、ＰＢＸ５は、無線基地局３間や、無線基地局３及び発信端末４間の通話路を形成する通話路スイッチ１１と、局データや局プログラム等の各種情報を管理する記憶部１２と、このＰＢＸ５全体を制御する中央制御部１３とを有している。
【００３５】
無線基地局３は、呼出ゾーンを構成し、同呼出ゾーン内の無線端末２との通信制御を司るものである。
【００３６】
また、ＰＢＸ５側の中央制御部１３は、複数台の無線端末２の呼出ゾーンで構成する呼出エリアを予め設定し、例えば“Ａ１”及び“Ａ２”の無線基地局３の呼出ゾーンで呼出エリアＡ、“Ｂ１”及び“Ｂ２”の無線基地局３の呼出ゾーンで呼出エリアＢ、“Ｃ１”及び“Ｃ２”の無線基地局で呼出エリアＣを構成するものである。
【００３７】
また、中央制御部１３は、呼出エリア単位で無線端末２を位置登録管理すると共に、無線端末２に対する着信要求が発生した場合、同無線端末２が位置登録中の呼出エリアに属する無線基地局３経由で同無線端末２への着信を報知するものである。
【００３８】
また、ＰＢＸ５側の記憶部１２は、呼出エリア毎に、同呼出エリア内の無線基地局３に関わる基地局情報を管理する呼出エリア内基地局管理テーブル１２Ａと、呼出エリア毎に、同呼出エリアに隣接する周辺の無線基地局３の基地局情報を管理する周辺基地局管理テーブル１２Ｂと、無線端末２を管理する端末管理テーブル１２Ｃとを有している。
【００３９】
図２は周辺基地局管理テーブル１２Ｂのテーブル内容を端的に示す説明図である。
【００４０】
図２に示す周辺基地局管理テーブル１２Ｂは、呼出エリア１２１Ｂ毎に、同呼出エリアに隣接する周辺の無線基地局３に関わる基地局情報１２２Ｂを管理し、例えば呼出エリアＡの場合、同呼出エリアＡに隣接する無線基地局３は呼出エリアＢ内の“Ｂ１”の無線基地局３、呼出エリアＢの場合、同呼出エリアＢに隣接する無線基地局３は呼出エリアＡ内の“Ａ２”の無線基地局３及び呼出エリアＣ内の“Ｃ１”の無線基地局３、呼出エリアＣの場合、同呼出エリアＣに隣接する無線基地局３は呼出エリアＢ内の“Ｂ２”の無線基地局３の基地局情報を夫々管理している。
【００４１】
図３は端末管理テーブル１２Ｃのテーブル内容を端的に示す説明図である。
【００４２】
図３に示す端末管理テーブル１２Ｃは、無線端末２毎に、同無線端末２を識別する端末番号１２１Ｃ、同無線端末２の現在位置登録中の呼出エリア１２２Ｃ及び、同無線端末２が位置登録中の呼出エリアから移動先の呼出エリアへ移動中であるか否かを示す移動状態１２３Ｃを管理し、例えば端末番号１２１Ｃが“１０００”の無線端末２の場合、現在位置登録中の呼出エリア１２２Ｃは呼出エリアＡ、移動状態１２３Ｃは“移動中”、また、端末番号１２１Ｃの“２０００”の無線端末２の場合、現在位置登録中の呼出エリア１２２Ｃは呼出エリアＢ、移動状態１２３Ｃは“なし”として夫々管理している。
【００４３】
図４は無線端末２内部の概略構成を示すブロック図である。
【００４４】
図４に示す無線端末２は、無線基地局３と無線通信する無線通信部２１と、無線基地局３の無線信号の受信レベルを測定する受信レベル監視部２２と、相手先との通話に使用する送受話部等の通話部２３と、ダイヤル番号等の各種情報を入力する操作部２４と、様々な情報を表示する表示部２５と、同無線端末２全体を制御する制御部２６とを有している。
【００４５】
制御部２６は、ＰＢＸ５に対して、同無線端末２の位置登録を要求する位置登録要求部２７と、位置登録中の呼出エリアから移動先の呼出エリアへの同無線端末２の移動を推定検知する移動推定検知処理部２８と、この移動推定検知処理部２８にて移動先の呼出エリアへの同無線端末２の移動を推定検知した場合、同無線端末２による移動先の呼出エリアへの移動を予告すべく、移動予告をＰＢＸ５に通知する移動予告通知部２９とを有している。
【００４６】
位置登録要求部２７は、例えば同無線端末２の電源投入時や同無線端末２が他の呼出エリアへ進入した場合に、同無線端末２が現在位置する呼出エリア内の無線基地局３経由でＰＢＸ５に対して位置登録を要求するものである。
【００４７】
移動推定検知処理部２８は、位置登録中の呼出エリアから移動先の呼出エリアへの同無線端末２の移動を推定検知するために、受信レベル監視部２２を通じて位置登録中の呼出エリア内の無線基地局３との無線信号強度である受信レベルを測定し、この受信レベルの測定結果に基づき、後述する第１移動推定検知処理を経て、位置登録中の呼出エリアから移動先の呼出エリアへの移動を推定検知するものである。
【００４８】
移動予告部２９は、移動推定検知処理部２８にて位置登録中の呼出エリアから移動先の呼出エリアへの移動を推定検知した場合、位置登録中の呼出エリアに属する無線基地局３経由で、移動予告をＰＢＸ５に通知するものである。
【００４９】
ＰＢＸ５側の中央制御部１３は、無線基地局３経由で無線端末２からの移動予告を受信した場合、この無線端末２の端末番号１２１Ｃに対応する移動状態１２３Ｃに“移動中”を設定すべく、端末管理テーブル１２Ｃのテーブル内容を更新するものである。
【００５０】
また、中央制御部１３では、端末管理テーブル１２Ｃ内の移動状態１２３Ｃに“移動中”を設定すると、移動予告解除タイマの計時動作を開始し、同移動予告解除タイマがタイムアップした場合、移動状態１２３Ｃを“なし”に設定すべく、端末管理テーブル１２Ｃのテーブル内容を更新するものである。
【００５１】
また、中央制御部１３は、無線端末２への着信要求が発生した場合、端末管理テーブル１２Ｃ内の無線端末２の端末番号１２１Ｃに対応した位置登録中の呼出エリア１２２Ｃに属する無線基地局３に対して、同無線端末２への着信を報知するものである。
【００５２】
また、中央制御部１３は、無線基地局３経由で無線端末２からの移動予告を受信した後、この無線端末２の移動先の呼出エリアに属する無線基地局３経由での位置登録要求を受信する前に、同無線端末２への着信要求が発生した場合、スレ違いによる呼出不応答を回避するために、同無線端末２が位置登録中の呼出エリアに属する無線基地局３の他に、周辺基地局管理テーブル１２Ｂに記憶中の基地局情報１２２Ｂに基づき、同位置登録中の呼出エリアに隣接する周辺の無線基地局３経由で同無線端末２への着信を報知するものである。
【００５３】
尚、請求項記載の無線システムはＰＢＸ無線システム１、無線基地局は無線基地局３、無線端末は無線端末２、制御装置はＰＢＸ５、移動推定検知手段は移動推定検知処理部２８、移動予告通知手段は移動予告通知部２９、周辺基地局記憶手段は周辺基地局管理テーブル１２Ｂに相当するものである。
【００５４】
次に第１の実施の形態を示すＰＢＸ無線システム１の動作について説明する。図５は第１の実施の形態に関わる無線端末２側の第１移動推定検知処理に関わる処理動作を示すフロー図である。
【００５５】
図５に示す第１移動推定検知処理は、同無線端末２側の移動推定検知処理部２８を通じて、現在位置登録中の呼出エリアから移動先の呼出エリアへの同無線端末２の移動を推定検知するための処理である。
【００５６】
図５において無線端末２側の制御部２６内の移動推定検知処理部２８は、受信レベル監視部２２を通じて、位置登録中の呼出エリアに属する無線基地局３からの無線信号の受信レベルを測定し、同受信レベルが基準レベル以下であるか否かを判定する（ステップＳ１１）。尚、基準レベルとは、受信レベルの著しい低下を示す所定閾値に相当するものである。
【００５７】
移動推定検知処理部２８は、同受信レベルが基準レベル以下の場合、同受信レベルが著しく低下したものと判断し、一時的な受信レベルの低下による誤判定を防止するために誤判定防止タイマの計時動作を開始する（ステップＳ１２）。尚、誤判定防止タイマのタイマ時間は、例えば３秒〜５秒に設定するものである。
【００５８】
移動推定検知処理部２８は、誤判定防止タイマの計時動作を開始すると、同受信レベルが基準レベル以下であるか否かを再度判定する（ステップＳ１３）。
【００５９】
移動推定検知処理部２８は、同受信レベルが基準レベル以下の場合、ステップＳ１２にて計時動作を開始した誤判定防止タイマがタイムアップしたか否かを判定する（ステップＳ１４）。
【００６０】
移動推定検知処理部２８は、誤判定防止タイマがタイムアップした場合、誤判定防止タイマ時間中継続して同受信レベルが基準レベル以下であるものと判断し、すなわち同位置登録中の呼出エリアに属する無線基地局の無線信号の受信レベルが確実に低下したものと判断し、同無線端末２による移動先の呼出エリアへの移動を推定検知し、移動予告通知部２９を通じて、同無線端末２による移動先の呼出エリアへの移動を予告する移動予告を、位置登録中の呼出エリアに属する無線基地局３経由でＰＢＸ５に通知することで（ステップＳ１５）、この処理動作を終了する。
【００６１】
また、移動推定検知処理部２８は、ステップＳ１１にて受信レベルが基準レベル以下でなければ、同無線端末２が位置登録中の呼出エリア内に位置しているものと判断し、この処理動作を終了する。
【００６２】
また、移動推定検知処理部２８は、ステップＳ１３にて受信レベルが基準レベル以下でなければ、一時的な受信レベルの低下であると判断し、ステップＳ１２にて計時動作を開始した誤判定防止タイマをクリアし（ステップＳ１６）、この処理動作を終了する。
【００６３】
また、移動推定検知処理部２８は、ステップＳ１４にて誤判定防止タイマがタイムアップしたのでなければ、同受信レベルが基準レベル以下であるか否かを継続監視すべく、ステップＳ１３に移行する。
【００６４】
図５に示す第１移動推定検知処理によれば、位置登録中の呼出エリアに属する無線基地局３からの無線信号の受信レベルを測定し、誤判定防止タイマ時間中、継続して同受信レベルが基準レベル以下の場合、同無線端末２による移動先の呼出エリアへの移動を推定検知し、同移動先の呼出エリアへの移動を予告すべく、位置登録中の呼出エリアに属する無線基地局３経由で移動予告をＰＢＸ５に通知するようにしたので、ＰＢＸ５側では、無線端末２による移動先の呼出エリアへの移動可能性を認識することができる。
【００６５】
次に移動予告を発信した無線端末２への着信要求発生時に関わるＰＢＸ無線システム１の着信報知処理について説明する。図６及び図７は着信報知処理に関わるＰＢＸ無線システム１全体の処理動作を示す動作シーケンス図である。尚、説明の便宜上、端末番号“１０００”の無線端末２が移動元の呼出エリアＡに属する“Ａ２”の無線基地局３から移動先の呼出エリアＢに属する“Ｂ１”の無線基地局３への移動を推定検知中に、発信端末４から同無線端末２への着信要求が発生した場合を想定するものとする。
【００６６】
図６及び図７に示す着信報知処理は、移動予告を発信した無線端末２への着信要求が発生した場合、同無線端末２への着信を報知する処理である。
【００６７】
図６に示す無線端末２は、移動推定検知処理部２８を通じて位置登録中の呼出エリアＡから移動先の呼出エリアＢへの移動を推定検知した場合（ステップＳ２１）、移動予告通知部２９を通じて移動先の呼出エリアＢへの移動を予告すべく、位置登録中の呼出エリアＡの“Ａ２”の無線基地局３に移動予告を通知する（ステップＳ２２）。
【００６８】
“Ａ２”の無線基地局３は、無線端末２からの移動予告を受信すると、同移動予告をＰＢＸ５に通知する（ステップＳ２３）。
【００６９】
ＰＢＸ５側の中央制御部１３は、移動予告を受信すると、同無線端末２の端末番号１２１Ｃ“１０００”に対応した移動状態１２３Ｃに“移動中”を設定すべく、端末管理テーブル１２Ｃのテーブル内容を更新する（ステップＳ２４）。
【００７０】
中央制御部１３は、同無線端末２の移動状態１２３Ｃを“移動中”に設定すると、移動予告解除タイマの計時動作を開始する（ステップＳ２５）。尚、移動予告解除タイマがタイムアップした場合、同無線端末２の移動状態１２３Ｃを“移動中”から“なし”に設定すべく、端末管理テーブル１２Ｃのテーブル内容を更新するものである。
【００７１】
中央制御部１３は、発信端末４側の無線端末２への発信操作に応じて（ステップＳ２６）、同発信端末４から無線端末２への発信要求を検出すると（ステップＳ２７）、同無線端末２への着信要求が発生したものと判断する。
【００７２】
中央制御部１３は、同無線端末２の端末番号１２１Ａ“１０００”に対応する呼出エリア１２２Ｃ及び移動状態１２３Ｃを端末管理テーブル１２Ｃから検索する（ステップＳ２８）。
【００７３】
中央制御部１３は、同無線端末２の端末番号“１０００”に対応する移動状態１２３Ｃが“移動中”の場合（ステップＳ２９）、同無線端末２の位置登録中の呼出エリアに隣接する周辺の無線基地局３の基地局情報を周辺基地局管理テーブル１２Ｂから検索する（ステップＳ３０）。尚、本実施の形態では、“１０００”の無線端末２に対応する位置登録中の呼出エリアは呼出エリアＡであることから、この呼出エリアＡに対応する周辺の無線基地局３は“Ｂ１”の無線基地局３ということになる。
【００７４】
中央制御部１３は、同無線端末２の位置登録中の呼出エリアに属する“Ａ２”の無線基地局３に対して着信要求（ＳＥＴＵＰ）を通知し（ステップＳ３１）、同無線端末２の応答を監視する無線圏外判定タイマの計時動作を開始する（ステップＳ３２）。
【００７５】
そして、“Ａ２”の無線基地局３は、ＰＢＸ５からの着信要求（ＳＥＴＵＰ）を受信すると、無線端末２への着信を報知すべく着呼を開始する（ステップＳ３３）。尚、“Ａ２”の無線基地局３側は、ＰＢＸ５側の無線圏外判定タイマのタイムアップに応じて、同着呼を停止するものである。
【００７６】
また、同様に中央制御部１３は、ステップＳ３０の検索結果、すなわち同無線端末２の位置登録中の呼出エリアに隣接する周辺の“Ｂ１”の無線基地局３に対して着信要求（ＳＥＴＵＰ）を通知し（ステップＳ３４）、同無線端末２の応答を監視する無線圏外判定タイマの計時動作を開始する（ステップＳ３５）。
【００７７】
そして、“Ｂ１”の無線基地局３は、ＰＢＸ５からの着信要求（ＳＥＴＵＰ）を受信すると、無線端末２への着信を報知すべく着呼を開始する（ステップＳ３６）。尚、“Ｂ１”の無線基地局３側は、ＰＢＸ５側の無線圏外判定タイマのタイムアップに応じて、同着呼を停止するものである。
【００７８】
また、“Ａ２”の無線基地局３は、ステップＳ３３にて無線端末２への着呼を開始すると、着呼受付（ＣＡＬＬＰＲＯＣ）をＰＢＸ５に通知する（ステップＳ３７）と共に、“Ｂ１”の無線基地局３は、ステップＳ３６にて無線端末２への着呼を開始すると、着呼受付（ＣＡＬＬＰＲＯＣ）をＰＢＸ５に通知することで（ステップＳ３８）、図７に移行する。
【００７９】
この結果、ＰＢＸ５は、移動予告を発信した“１０００”の無線端末２への着信要求が発生した場合、同無線端末２が位置登録中の呼出エリアＡに属する“Ａ２”の無線基地局３及び、同呼出エリアＡに隣接する周辺の“Ｂ１”の無線基地局３経由で同無線端末２への着信を報知すべく着呼を開始したことになる。
【００８０】
図７において無線端末２は、“Ａ２”及び“Ｂ１”の無線基地局３からの着呼の内、移動先の呼出エリアＢに属する“Ｂ１”の無線基地局３からの着呼に応答する場合、同着呼応答を“Ｂ１”の同無線基地局３に通知する（ステップＳ４１）。
【００８１】
“Ｂ１”の無線基地局３は、同無線端末２の着呼応答を受信すると、着信要求（ＳＥＴＵＰ）を無線端末２に通知する（ステップＳ４２）。
【００８２】
無線端末２は、“Ｂ１”の無線基地局３からの着信要求（ＳＥＴＵＰ）を受信すると、着呼受付（ＣＡＬＬＰＲＯＣ）を“Ｂ１”の無線基地局３に通知し（ステップＳ４３）、呼出音を鳴動出力すると共に（ステップＳ４４）、呼出中（ＡＬＥＲＴ）を“Ｂ１”の無線基地局３に通知する（ステップＳ４５）。
【００８３】
“Ｂ１”の無線基地局３は、呼出中（ＡＬＥＲＴ）を受信すると、呼出中（ＡＬＥＲＴ）をＰＢＸ５に通知する（ステップＳ４６）。
【００８４】
ＰＢＸ５は、“Ｂ１”の無線基地局３経由で無線端末２側の呼出中（ＡＬＥＲＴ）を受信すると、ステップＳ２７にて発信要求を発信した発信端末４にリングバックトーン（ＲＢＴ）を出力する（ステップＳ４７）。尚、発信端末４側のユーザは、リングバックトーンを受聴して相手先の無線端末２の呼出中を認識することができる。
【００８５】
また、ＰＢＸ５は、“Ｂ１”の無線基地局３経由での無線端末２側の呼出中（ＡＬＥＲＴ）を受信すると、“Ａ２”の無線基地局３経由での無線端末２への着呼を停止すべく、解放完了（ＲＥＬＣＯＭＰ）を“Ａ２”の無線基地局３に通知し（ステップＳ４８）、“Ａ２”の同無線基地局３経由での無線端末２への着呼を停止する。この結果、ＰＢＸ５は、“Ｂ１”の無線基地局３経由でのみ、発信端末４からの着信を無線端末２に報知することになる。
【００８６】
無線端末２は、呼出音を鳴動出力中に、応答操作を検出すると（ステップＳ４９）、接続要求（ＣＯＮＮ）を“Ｂ１”の無線基地局３に通知する（ステップＳ５０）。“Ｂ１”の無線基地局３は、接続要求（ＣＯＮＮ）を検出すると、同接続要求（ＣＯＮＮ）をＰＢＸ５に通知する（ステップＳ５１）。
【００８７】
ＰＢＸ５は、同“Ｂ１”の無線基地局３経由で無線端末２側の接続要求（ＣＯＮＮ）を受信すると、応答信号を発信端末４に通知する（ステップＳ５２）。その結果、ＰＢＸ５は、発信端末４及び無線端末２間の通話を“Ｂ１”の無線基地局３経由で確立することになる（ステップＳ５３）。
【００８８】
尚、ＰＢＸ５は、図６に示すステップＳ２５にて移動予告解除タイマの計時動作を開始した後、同移動予告解除タイマがタイムアップした場合（ステップＳ５４）、同端末番号“１０００”の無線端末２に対応した移動状態１２３Ｃを“移動中”から“なし”に設定すべく、端末管理テーブル１２Ｃのテーブル内容を更新し（ステップＳ５５）、この処理動作を終了する。
【００８９】
図６及び図７に示す着信報知処理によれば、第１移動推定検知処理にて無線端末２が移動先の呼出エリアへの移動推定検知中に、移動先の呼出エリアへの位置登録要求を受信する前に、同無線端末２への着信要求が発生した場合にのみ、同無線端末２の位置登録中の呼出エリアに属する無線基地局３及び、同呼出エリアに隣接する周辺の無線基地局３経由で同無線端末２への着信を報知するようにしたので、無線端末２の呼出エリア間の移動中による呼出不応答を確実に回避しながら、無駄な着信報知に伴うシステム全体の処理負担を大幅に軽減することができる。
【００９０】
第１の実施の形態によれば、無線端末２が移動先の呼出エリアへの移動を推定検知した場合、ＰＢＸ５に対して、移動先の呼出エリアへの移動を予告する移動予告を通知するようにしたので、ＰＢＸ５側では移動予告に基づき、同無線端末２が移動先の呼出エリアへの移動中と判断することができるため、同無線端末２が位置登録中の呼出エリア内に位置する場合は、通常の同呼出エリア内の無線基地局３経由で同無線端末２への着信を報知し、同無線端末２が移動先の呼出エリアへの移動中の場合にのみ、スレ違いによる呼出不応答を回避するための着信報知を実行することが可能となって、無駄な着信報知を軽減することができるため、その結果、スレ違いによる呼出不応答を確実に回避しながら、無駄な着信報知に伴うシステム全体の処理負担を大幅に軽減することができる。
【００９１】
また、第１の実施の形態によれば、位置登録中の呼出エリアに属する無線基地局３からの受信レベルが所定時間継続して基準レベル以下の場合、移動先の呼出エリアへの移動を推定検知するようにしたので、位置登録中の呼出エリアに属する無線基地局３からの受信レベルに着目することで、位置登録中の呼出エリアの無線信号が届かなくなる前に、移動先の呼出エリアへの移動を簡単に認識することができる。
【００９２】
また、第１の実施の形態によれば、無線端末２からの移動予告を受信した後、この無線端末２の移動先の呼出エリアに属する無線基地局３経由での位置登録要求を受信する前に、同無線端末２への着信要求が発生した場合、同無線端末２が位置登録中の呼出エリアに属する無線基地局３に加えて、周辺基地局管理テーブル１２Ｂに記憶中の基地局情報に基づき、同位置登録中の呼出エリアに隣接する周辺の無線基地局３経由で同無線端末２への着信を報知するようにしたので、同無線端末２が移動先の呼出エリアへの移動中の場合にのみ、同無線端末２が位置登録中の呼出エリアに属する無線基地局３に加えて、同位置登録中の呼出エリアに隣接する周辺の無線基地局３経由で同無線端末２への着信を報知する、すなわち呼出エリア単位ではなく、無線基地局単位で無駄な着信報知を最小限に抑制することができるため、その結果、スレ違いによる呼出不応答を確実に回避しながら、無駄な着信報知に伴うシステム全体の処理負担を大幅に軽減することができる。
【００９３】
また、第１の実施の形態によれば、無線端末２が位置登録中の呼出エリア以外の呼出エリアに属する無線基地局３経由で発信端末４からの着信に対して同無線端末２が応答した場合、発信端末４及び無線端末２間の通信を確立するようにしたので、移動先の呼出エリアへの移動中に同無線端末２への着信要求が発生したとしても、スレ違いによる呼出不応答を確実に回避することができる。
【００９４】
尚、上記第１の実施の形態においては、ＰＢＸ５を使用したＰＢＸ無線システム１を例に挙げて説明したが、ＰＢＸ５ではなく、ＩＰネットワークで構成するＳＩＰプロキシサーバを使用したＳＩＰ無線システムについても同様の効果を得ることができるため、その実施の形態につき、第２の実施の形態として説明する。
【００９５】
（実施の形態２）
図８は第２の実施の形態を示すＳＩＰ無線システム内部の概略構成を示すブロック図である。尚、第１の実施の形態に示すＰＢＸ無線システム１と同一の構成については同一符号を付すことで、その重複する構成及び動作の説明については省略する。
【００９６】
図８に示すＳＩＰ無線システム１Ａは、無線端末２と、この無線端末２を無線収容する複数台の無線基地局３Ａと、これら無線基地局３Ａを収容接続すると共に、ＩＰネットワーク６との通信インタフェース機能を備えた基地局ゲートウェイ７と、無線端末２を無線収容すると共に、ＩＰネットワーク６との通信インタフェース機能を備えたＩＰ無線基地局３Ｂと、ＩＰネットワーク６との通信インタフェース機能を備えた発信端末４Ａと、これら基地局ゲートウェイ７、ＩＰ無線基地局３Ｂ及び発信端末４ＡをＩＰアドレスで管理すると共に、ＩＰネットワーク６との通信インタフェース機能を備えたＳＩＰプロキシサーバ８とを有し、ＳＩＰプロキシサーバ８は、基地局ゲートウェイ７、ＩＰ無線基地局３Ｂや発信端末４ＡのＩＰアドレス等の各種情報を管理するサーバ側記憶部１４と、基地局ゲートウェイ７、ＩＰ無線基地局３Ｂや発信端末４ＡのＳＩＰプロトコルに関わるＳＩＰプロキシサーバ８全体を制御するサーバ側制御部１５とを有している。
【００９７】
無線基地局３Ａ及びＩＰ無線基地局３Ｂは、呼出ゾーンを構成し、同呼出ゾーン内の無線端末２との通信制御を司るものである。尚、無線基地局３Ａは、ＩＰネットワーク６に接続するための通信インタフェースを備えていないため、基地局ゲートウェイ７を通じてＩＰネットワーク６に接続するものである。
【００９８】
ＳＩＰプロキシサーバ８のサーバ側制御部１５は、複数台の無線基地局３Ａ及びＩＰ無線基地局３Ｂの呼出ゾーンで構成する呼出エリアを予め設定し、例えば“Ａ１”及び“Ａ２”の無線基地局３Ａの呼出ゾーンで呼出エリアＡ、“Ｂ１”及び“Ｂ２”の無線基地局３Ａの呼出ゾーンで呼出エリアＢ、“Ｃ１”及び“Ｃ２”のＩＰ無線基地局３Ｂの呼出ゾーンで呼出エリアＣを構成するものである。
【００９９】
また、サーバ側制御部１５は、呼出エリア単位で無線端末２を位置登録管理すると共に、無線端末２に対する着信要求が発生した場合、同無線端末２が位置登録中の呼出エリアに属する無線基地局３Ａ（ＩＰ無線基地局３Ｂ）経由で同無線端末２への着信を報知するものである。
【０１００】
また、サーバ側記憶部１４は、呼出エリア毎に、同呼出エリア内の無線基地局３Ａ（ＩＰ無線基地局３Ｂ）に関わる基地局情報を管理する呼出エリア内基地局管理テーブル１４Ａと、呼出エリア毎に、同呼出エリアに隣接する周辺の無線基地局３Ａ（ＩＰ無線基地局３Ｂ）の基地局情報を管理する周辺基地局管理テーブル１４Ｂと、無線端末２を管理する端末管理テーブル１４Ｃとを有している。
【０１０１】
周辺基地局管理テーブル１４Ｂは、呼出エリア毎に、同呼出エリアに隣接する周辺の無線基地局３Ａ（ＩＰ無線基地局３Ｂ）に関わる基地局情報を管理し、例えば呼出エリアＡの場合、同呼出エリアＡに隣接する無線基地局は呼出エリアＢ内の“Ｂ１”の無線基地局３Ａ、呼出エリアＢの場合、同呼出エリアＢに隣接する無線基地局は呼出エリアＡ内の“Ａ２”の無線基地局３Ａ及び呼出エリアＣ内の“Ｃ１”のＩＰ無線基地局３Ｂ、呼出エリアＣの場合、同呼出エリアＣに隣接する無線基地局は呼出エリアＢ内の“Ｂ２”の無線基地局３Ａの基地局情報を夫々管理している。
【０１０２】
端末管理テーブル１４Ｃは、無線端末２毎に、同無線端末２を識別する端末番号、同無線端末２の現在位置登録中の呼出エリア及び、同無線端末２が位置登録中の呼出エリアから移動先の呼出エリアへ移動中であるか否かを示す移動状態を管理している。
【０１０３】
また、無線端末２の制御部２６内部の位置登録要求部２７は、例えば同無線端末２の電源投入時や同無線端末２が他の呼出エリアへ進入した場合に、同無線端末２が現在位置する呼出エリア内の無線基地局３Ａ又はＩＰ無線基地局３Ｂ経由でＳＩＰプロキシサーバ８に対して位置登録を要求するものである。
【０１０４】
移動推定検知処理部２８は、位置登録中の呼出エリアから移動先の呼出エリアへの同無線端末２の移動を推定検知するために、受信レベル監視部２２を通じて位置登録中の呼出エリア内の無線基地局３Ａ（ＩＰ無線基地局３Ｂ）からの無線信号の受信レベルを測定し、この受信レベルの測定結果に基づき、第１移動推定検知処理を経て、位置登録中の呼出エリアから移動先の呼出エリアへの移動を推定検知するものである。
【０１０５】
移動予告通知部２９は、移動推定検知処理部２８にて位置登録中の呼出エリアから移動先の呼出エリアへの移動を推定検知した場合、位置登録中の呼出エリアに属する無線基地局３Ａ（ＩＰ無線基地局３Ｂ）経由で、移動予告をＳＩＰプロキシサーバ８に通知するものである。
【０１０６】
ＳＩＰプロキシサーバ８側のサーバ側制御部１５は、無線基地局３Ａ（ＩＰ無線基地局３Ｂ）経由で無線端末２からの移動予告を受信した場合、この無線端末２の端末番号に対応する移動状態に“移動中”を設定すべく、端末管理テーブル１４Ｃのテーブル内容を更新するものである。
【０１０７】
また、サーバ側制御部１５では、端末管理テーブル１４Ｃ内の移動状態に“移動中”を設定すると、移動予告解除タイマの計時動作を開始し、同移動予告解除タイマがタイムアップした場合、端末管理テーブル１４Ｃの移動状態を“なし”に設定すべく、端末管理テーブル１４Ｃのテーブル内容を更新するものである。
【０１０８】
また、サーバ側制御部１５は、無線端末２への着信要求が発生した場合、端末管理テーブル１４Ｃ内の無線端末２の端末番号に対応した位置登録中の呼出エリアに属する無線基地局３Ａ（ＩＰ無線基地局３Ｂ）に対して、同無線端末２への着信を報知するものである。
【０１０９】
また、サーバ側制御部１５は、無線基地局３Ａ（ＩＰ無線基地局３Ｂ）経由で無線端末２からの移動予告を受信した後、この無線端末２の移動先の呼出エリアに属する無線基地局３Ａ（ＩＰ無線基地局３Ｂ）経由での位置登録要求を受信する前に、同無線端末２への着信要求が発生した場合、スレ違いによる呼出不応答を回避するために、同無線端末２が位置登録中の呼出エリアに属する無線基地局３の他に、周辺基地局管理テーブル１４Ｂに記憶中の基地局情報に基づき、同位置登録中の呼出エリアに隣接する周辺の無線基地局３Ａ（ＩＰ無線基地局３Ｂ）経由で同無線端末２への着信を報知するものである。
【０１１０】
尚、請求項記載の無線システムはＳＩＰ無線システム１Ａ、無線基地局は無線基地局３Ａ又はＩＰ無線基地局３Ｂ、無線端末は無線端末２、制御装置はＳＩＰプロキシサーバ８、移動推定検知手段は移動推定検知処理部２８、移動予告通知手段は移動予告通知部２９、周辺基地局記憶手段は周辺基地局管理テーブル１４Ｂに相当するものである。
【０１１１】
次に第２の実施の形態を示すＳＩＰ無線システム１Ａの動作について説明する。
【０１１２】
まずは、第１移動推定検知処理にて移動予告を発信した無線端末２への着信要求発生時に関わる着信報知処理について説明する。図９及び図１０は着信報知処理に関わるＳＩＰ無線システム１Ａ全体の処理動作を示す動作シーケンス図である。尚、説明の便宜上、端末番号“１０００”の無線端末２が移動元の呼出エリアＡに属する“Ａ２”の無線基地局３Ａから移動先の呼出エリアＢに属する“Ｂ１”の無線基地局３Ａへの移動中に、発信端末４Ａから同無線端末２への着信要求が発生した場合を想定するものとする。また、無線基地局３Ａ及びＳＩＰプロキシサーバ８間の通信は基地局ゲートウェイ７経由で実行されるものである。
【０１１３】
図９及び図１０に示す着信報知処理は、移動予告を発信した無線端末２への着信要求が発生した場合、同無線端末２への着信を報知する処理である。
【０１１４】
図９に示す無線端末２は、移動推定検知処理部２８を通じて位置登録中の呼出エリアＡから移動先の呼出エリアＢへの移動を推定検知した場合（ステップＳ６１）、移動予告通知部２９を通じて移動先の呼出エリアＢへの移動を予告すべく、位置登録中の呼出エリアＡの“Ａ２”の無線基地局３Ａに移動予告を通知する（ステップＳ６２）。
【０１１５】
“Ａ２”の無線基地局３Ａは、無線端末２からの移動予告を受信すると、同移動予告をＳＩＰプロキシサーバ８に通知する（ステップＳ６３）。
【０１１６】
ＳＩＰプロキシサーバ８のサーバ側制御部１５は、移動予告を受信した場合、同無線端末２の端末番号“１０００”に対応した移動状態に“移動中”を設定すべく、端末管理テーブル１４Ｃのテーブル内容を更新する（ステップＳ６４）。
【０１１７】
サーバ側制御部１５は、同無線端末２の移動状態を“移動中”に設定すると、移動予告解除タイマの計時動作を開始する（ステップＳ６５）。尚、移動予告解除タイマがタイムアップした場合、同無線端末２の移動状態を“移動中”から“なし”に設定すべく、端末管理テーブル１４Ｃのテーブル内容を更新するものである。
【０１１８】
また、サーバ側制御部１５は、発信端末４Ａ側の無線端末２への発信操作に応じて（ステップＳ６６）、同発信端末４Ａから無線端末２への発信要求（ＩＮＶＩＴＥ）を検出すると（ステップＳ６７）、無線端末２への着信要求が発生したものと判断し、発信要求受付（１００Ｔｒｙｉｎｇ）を発信端末４Ａに通知する（ステップＳ６８）。
【０１１９】
さらにサーバ側制御部１５は、ステップＳ６７にて発信端末４Ａから無線端末２への発信要求（ＩＮＶＩＴＥ）を検出すると、同無線端末の端末番号“１０００”に対応する呼出エリア及び移動状態を端末管理テーブル１４Ｃから検索する（ステップＳ６９）。
【０１２０】
サーバ側制御部１５は、同無線端末２の端末番号“１０００”に対応する移動状態が“移動中”の場合（ステップＳ７０）、同無線端末２の位置登録中の呼出エリアに隣接する周辺の無線基地局３Ａ（ＩＰ無線基地局３Ｂ）の基地局情報を周辺基地局管理テーブル１４Ｂから検索する（ステップＳ７１）。尚、本実施の形態では、“１０００”の無線端末２に対応する位置登録中の呼出エリアは呼出エリアＡであることから、この呼出エリアＡに対応する周辺の無線基地局３Ａ（ＩＰ無線基地局３Ｂ）は“Ｂ１”の無線基地局３Ａということになる。
【０１２１】
サーバ側制御部１５は、同無線端末２の位置登録中の呼出エリアに属する“Ａ２”の無線基地局３Ａに対して着信要求（ＩＮＶＩＴＥ）を通知し（ステップＳ７２）、同無線端末２の応答を監視する無線圏外判定タイマの計時動作を開始する（ステップＳ７３）。
【０１２２】
そして、“Ａ２”の無線基地局３Ａは、ＳＩＰプロキシサーバ８からの着信要求（ＩＮＶＩＴＥ）を受信した場合、無線端末２への着信を報知すべく着呼を開始する（ステップＳ７４）。尚、“Ａ２”の無線基地局３Ａ側は、ＳＩＰプロキシサーバ８側の無線圏外判定タイマのタイムアップに応じて、同着呼を停止するものである。
【０１２３】
また、同様にサーバ側制御部１５は、ステップＳ７１の検索結果、すなわち同無線端末２の位置登録中の呼出エリアに隣接する周辺の“Ｂ１”の無線基地局３Ａに対して着信要求（ＩＮＶＩＴＥ）を通知し（ステップＳ７５）、同無線端末２の応答を監視する無線圏外判定タイマの計時動作を開始する（ステップＳ７６）。
【０１２４】
そして、“Ｂ１”の無線基地局３Ａは、ＳＩＰプロキシサーバ８からの着信要求（ＩＮＶＩＴＥ）を受信した場合、無線端末２への着信を報知すべく着呼を開始する（ステップＳ７７）。尚、“Ｂ１”の無線基地局３Ａ側は、ＳＩＰプロキシサーバ８側の無線圏外判定タイマのタイムアップに応じて同着呼を停止するものである。
【０１２５】
また、“Ａ２”の無線基地局３Ａは、ステップＳ７４にて無線端末２への着呼を開始すると、着信要求受付（１００Ｔｒｙｉｎｇ）をＳＩＰプロキシサーバ８に通知すると共に（ステップＳ７８）、“Ｂ１”の無線基地局３Ａは、ステップＳ７７にて無線端末２への着呼を開始すると、着信要求受付（１００Ｔｒｙｉｎｇ）をＳＩＰプロキシサーバ８に通知することで（ステップＳ７９）、図１０に移行する。
【０１２６】
この結果、ＳＩＰプロキシサーバ８は、移動予告を発信した“１０００”の無線端末２への着信要求が発生した場合、同無線端末２が位置登録中の呼出エリアＡに属する“Ａ２”の無線基地局３Ａ及び、同呼出エリアＡに隣接する周辺の“Ｂ１”の無線基地局３Ａ経由で同無線端末２への着信を報知すべく着呼を開始したことになる。
【０１２７】
図１０において無線端末２は、“Ａ２”及び“Ｂ１”の無線基地局３Ａからの着呼の内、移動先の呼出エリアＢに属する“Ｂ１”の無線基地局３Ａからの着呼に応答した場合、同着呼応答を同“Ｂ１”の無線基地局３Ａに通知する（ステップＳ８１）。
【０１２８】
“Ｂ１”の無線基地局３Ａは、同無線端末２の着呼応答を受信した場合、着信要求（ＳＥＴＵＰ）を無線端末２に通知する（ステップＳ８２）。
【０１２９】
無線端末２は、“Ｂ１”の無線基地局３Ａからの着信要求（ＳＥＴＵＰ）を受信した場合、着呼受付（ＣＡＬＬＰＲＯＣ）を“Ｂ１”の無線基地局３Ａに通知し（ステップＳ８３）、呼出音を鳴動出力すると共に（ステップＳ８４）、呼出中（ＡＬＥＲＴ）を“Ｂ１”の無線基地局３Ａに通知する（ステップＳ８５）。
【０１３０】
“Ｂ１”の無線基地局３Ａは、呼出中（ＡＬＥＲＴ）を受信した場合、呼出中（１８０Ｒｉｎｇｉｎｇ）をＳＩＰプロキシサーバ８に通知する（ステップＳ８６）。
【０１３１】
ＳＩＰプロキシサーバ８は、“Ｂ１”の無線基地局３Ａ経由で呼出中（１８０Ｒｉｎｇｉｎｇ）を受信した場合、発信要求（ＩＮＶＩＴＥ）を発信した発信端末４Ａに対して、呼出中（１８０Ｒｉｎｇｉｎｇ）を通知する（ステップＳ８７）。その結果、無線端末２は、呼出中（１８０Ｒｉｎｇｉｎｇ）を受信した場合、リングバックトーン（ＲＢＴ）を出力する（ステップＳ８８）。尚、発信端末４Ａ側のユーザは、リングバックトーンを受聴して相手先の無線端末２の呼出中を認識することができる。
【０１３２】
また、ＳＩＰプロキシサーバ８は、“Ｂ１”の無線基地局３Ａ経由での呼出中（１８０Ｒｉｎｇｉｎｇ）を受信した場合、“Ａ２”の無線基地局３Ａ経由での無線端末２への着呼を停止すべく、着呼中止（ＣＡＮＣＥＬ）を“Ａ２”の無線基地局３Ａに通知する（ステップＳ８９）。
【０１３３】
無線基地局Ａ２は、着呼中止（ＣＡＮＣＥＬ）を受信した場合、無線端末２への着呼を停止し、切断要求（ＢＹＥ）をＳＩＰプロキシサーバ８に通知し（ステップＳ９０）、ＳＩＰプロキシサーバ８からのＡＣＫに応じて（ステップＳ９１）、ＳＩＰプロキシサーバ８との通信を終了する。この結果、ＳＩＰプロキシサーバ８は、“Ｂ１”の無線基地局３Ａ経由のみで発信端末４Ａからの着信を無線端末２に報知することになる。
【０１３４】
無線端末２は、呼出音を鳴動出力中に、応答操作を検出すると（ステップＳ９２）、接続要求（ＣＯＮＮ）を“Ｂ１”の無線基地局３Ａに通知する（ステップＳ９３）。“Ｂ１”の無線基地局３Ａは、接続要求（ＣＯＮＮ）を検出すると、応答（２００ＯＫ）をＳＩＰプロキシサーバ８に通知する（ステップＳ９４）。
【０１３５】
ＳＩＰプロキシサーバ８は、同“Ｂ１”の無線基地局３Ａ経由で無線端末２側の接続要求（ＣＯＮＮ）を受信した場合、応答（２００ＯＫ）を発信端末４Ａに通知する（ステップＳ９５）。その結果、ＳＩＰプロキシサーバ８は、発信端末４Ａ及び無線端末２間の通話を“Ｂ１”の無線基地局３Ａ経由で確立することになる（ステップＳ９６）。
【０１３６】
尚、ＳＩＰプロキシサーバ８は、ステップＳ８５にて移動予告解除タイマの計時動作を開始した後、同移動予告解除タイマがタイムアップした場合（ステップＳ９７）、同無線端末２の端末番号“１０００”に対応した移動状態を“移動中”から“なし”に設定すべく、端末管理テーブル１４Ｃのテーブル内容を更新し（ステップＳ９８）、この処理動作を終了する。
【０１３７】
図９及び図１０に示す着信報知処理によれば、第１移動推定検知処理にて無線端末２が移動先の呼出エリアへの移動推定検知中に、移動先の呼出エリアへの位置登録要求を受信する前に、同無線端末２への着信要求が発生した場合にのみ、同無線端末２の位置登録中の呼出エリアに属する無線基地局３Ａ（ＩＰ無線基地局３Ｂ）及び、同呼出エリアに隣接する周辺の無線基地局３Ａ（ＩＰ無線基地局３Ｂ）経由で同無線端末２への着信を報知するようにしたので、無線端末２の呼出エリア間の移動中による呼出不応答を確実に回避しながら、無駄な着信報知に伴うシステム全体の処理負担を大幅に軽減することができる。
【０１３８】
第２の実施の形態によれば、無線端末２が移動先の呼出エリアへの移動を推定検知した場合、ＳＩＰプロキシサーバ８に対して、移動先の呼出エリアへの移動を予告する移動予告を通知するようにしたので、ＳＩＰプロキシサーバ８側では移動予告に基づき、同無線端末２が移動先の呼出エリアへの移動中と判断することができるため、同無線端末２が位置登録中の呼出エリア内に位置する場合は、通常の同呼出エリア内の無線基地局３Ａ（ＩＰ無線基地局３Ｂ）経由で同無線端末２への着信を報知し、同無線端末２が移動先の呼出エリアへの移動中の場合にのみ、スレ違いによる呼出不応答を回避するための着信報知を実行することが可能となって、無駄な着信報知を軽減することができるため、その結果、スレ違いによる呼出不応答を確実に回避しながら、無駄な着信報知に伴うシステム全体の処理負担を大幅に軽減することができる。
【０１３９】
また、第２の実施の形態によれば、位置登録中の呼出エリアに属する無線基地局３Ａ（ＩＰ無線基地局３Ｂ）からの受信レベルが所定時間継続して基準レベル以下の場合、移動先の呼出エリアへの移動を推定検知するようにしたので、位置登録中の呼出エリアに属する無線基地局３Ａ（ＩＰ無線基地局３Ｂ）からの受信レベルに着目することで、位置登録中の呼出エリアの無線信号が届かなくなる前に、移動先の呼出エリアへの移動を簡単に認識することができる。
【０１４０】
また、第２の実施の形態によれば、無線端末２からの移動予告を受信した後、この無線端末２の移動先の呼出エリアに属する無線基地局３Ａ（ＩＰ無線基地局３Ｂ）経由での位置登録要求を受信する前に、同無線端末２への着信要求が発生した場合、スレ違いによる呼出不応答を回避するために、同無線端末２が位置登録中の呼出エリアに属する無線基地局３Ａ（ＩＰ無線基地局３Ｂ）に加えて、周辺基地局管理テーブル１４Ｂに記憶中の基地局情報に基づき、同位置登録中の呼出エリアに隣接する周辺の無線基地局３Ａ（ＩＰ無線基地局３Ｂ）経由で同無線端末２への着信を報知するようにしたので、同無線端末２が移動先の呼出エリアへの移動中の場合にのみ、同無線端末２が位置登録中の呼出エリアに属する無線基地局３Ａ（ＩＰ無線基地局３Ｂ）に加えて、同位置登録中の呼出エリアに隣接する周辺の無線基地局３Ａ（ＩＰ無線基地局３Ｂ）経由で同無線端末２への着信を報知する、すなわち呼出エリア単位ではなく、無線基地局単位で無駄な着信報知を最小限に抑制することができるため、その結果、スレ違いによる呼出不応答を確実に回避しながら、無駄な着信報知に伴うシステム全体の処理負担を大幅に軽減することができる。
【０１４１】
また、第２の実施の形態によれば、無線端末２が位置登録中の呼出エリア以外の呼出エリアに属する無線基地局３Ａ（ＩＰ無線基地局３Ｂ）経由で発信端末４Ａからの着信に対して同無線端末２が応答した場合、発信端末４Ａ及び無線端末２間の通信を確立するようにしたので、移動先の呼出エリアへの移動中に同無線端末２への着信要求が発生したとしても、スレ違いによる呼出不応答を確実に回避することができる。
【０１４２】
尚、上記第２の実施の形態においては、ＳＩＰプロキシサーバ８を使用したＳＩＰ無線システム１Ａを例に挙げて説明したが、ＳＩＰプロキシサーバ８ではなく、ゲートキーパを使用したＨ．３２３無線システムについても同様の効果を得ることができるため、その実施の形態につき、第３の実施の形態として説明する。
【０１４３】
（実施の形態３）
図１１は第３の実施の形態を示すＨ．３２３無線システム内部の概略構成を示すブロック図である。尚、第２の実施の形態に示すＳＩＰ無線システム１Ａと同一の構成については同一符号を付すことで、その重複する構成及び動作の説明については省略する。
【０１４４】
図１１に示すＨ．３２３無線システム１Ｂは、無線端末２、無線基地局３Ａ、基地局ゲートウェイ７、ＩＰ無線基地局３Ｂ、発信端末４Ａ及びＩＰネットワーク６の他に、これら基地局ゲートウェイ７、ＩＰ無線基地局３Ｂ及び発信端末４ＡをＩＰアドレスで管理すると共に、ＩＰネットワーク６との通信インタフェース機能を備えたゲートキーパ９を備え、ゲートキーパ９は、基地局ゲートウェイ７、ＩＰ無線基地局３Ｂや発信端末４ＡのＩＰアドレス等の各種情報を管理するゲートキーパ側記憶部１６と、基地局ゲートウェイ７、ＩＰ無線基地局３Ｂや発信端末４ＡのＨ．３２３プロトコルに関わるゲートキーパ９全体を制御するゲートキーパ側制御部１７とを有している。
【０１４５】
無線基地局３Ａ及びＩＰ無線基地局３Ｂは、呼出ゾーンを構成し、同呼出ゾーン内の無線端末２との通信制御を司るものである。尚、無線基地局３Ａは、ＩＰネットワーク６に接続するための通信インタフェースを備えていないため、基地局ゲートウェイ７を通じてＩＰネットワーク６に接続するものである。
【０１４６】
ゲートキーパ８のゲートキーパ側制御部１７は、複数台の無線基地局３Ａ及びＩＰ無線基地局３Ｂの呼出ゾーンで構成する呼出エリアを予め設定し、例えば“Ａ１”及び“Ａ２”の無線基地局３Ａの呼出ゾーンで呼出エリアＡ、“Ｂ１”及び“Ｂ２”の無線基地局３Ａの呼出ゾーンで呼出エリアＢ、“Ｃ１”及び“Ｃ２”のＩＰ無線基地局の呼出ゾーンで呼出エリアＣを構成するものである。
【０１４７】
また、ゲートキーパ側制御部１７は、呼出エリア単位で無線端末２を位置登録管理すると共に、無線端末２に対する着信要求が発生した場合、同無線端末２が位置登録中の呼出エリアに属する無線基地局３Ａ（ＩＰ無線基地局３Ｂ）経由で同無線端末２への着信を報知するものである。
【０１４８】
また、ゲートキーパ側記憶部１６は、呼出エリア毎に、同呼出エリア内の無線基地局３Ａ（ＩＰ無線基地局３Ｂ）に関わる基地局情報を管理する呼出エリア内基地局管理テーブル１６Ａと、呼出エリア毎に、同呼出エリアに隣接する周辺の無線基地局３Ａ（ＩＰ無線基地局３Ｂ）の基地局情報を管理する周辺基地局管理テーブル１６Ｂと、無線端末２を管理する端末管理テーブル１６Ｃとを有している。
【０１４９】
周辺基地局管理テーブル１６Ｂは、呼出エリア毎に、同呼出エリアに隣接する周辺の無線基地局３Ａ（ＩＰ無線基地局３Ｂ）に関わる基地局情報を管理し、例えば呼出エリアＡの場合、同呼出エリアＡに隣接する無線基地局は呼出エリアＢ内の“Ｂ１”の無線基地局３Ａ、呼出エリアＢの場合、同呼出エリアＢに隣接する無線基地局は呼出エリアＡ内の“Ａ２”の無線基地局３Ａ及び呼出エリアＣ内の“Ｃ１”のＩＰ無線基地局３Ｂ、呼出エリアＣの場合、同呼出エリアＣに隣接する無線基地局は呼出エリアＢ内の“Ｂ２”の無線基地局３Ａの基地局情報を夫々管理している。
【０１５０】
端末管理テーブル１６Ｃは、無線端末２毎に、同無線端末２を識別する端末番号、同無線端末２の現在位置登録中の呼出エリア及び、同無線端末２が位置登録中の呼出エリアから移動先の呼出エリアへ移動中であるか否かを示す移動状態を管理している。
【０１５１】
また、無線端末２の制御部２６内部の位置登録要求部２７は、例えば同無線端末２の電源投入時や同無線端末２が他の呼出エリアへ進入した場合に、同無線端末２が現在位置する呼出エリア内の無線基地局３Ａ又はＩＰ無線基地局３Ｂ経由でゲートキーパ９に対して位置登録を要求するものである。
【０１５２】
移動推定検知処理部２８は、位置登録中の呼出エリアから移動先の呼出エリアへの同無線端末２の移動を推定検知するために、受信レベル監視部２２を通じて位置登録中の呼出エリア内の無線基地局３Ａ（ＩＰ無線基地局３Ｂ）からの無線信号の受信レベルを測定し、この受信レベルの測定結果に基づき、第１移動推定検知処理を経て、位置登録中の呼出エリアから移動先の呼出エリアへの移動を推定検知するものである。
【０１５３】
移動予告通知部２９は、移動推定検知処理部２８にて位置登録中の呼出エリアから移動先の呼出エリアへの移動を推定検知した場合、位置登録中の呼出エリアに属する無線基地局３Ａ（ＩＰ無線基地局３Ｂ）経由で、移動予告をゲートキーパ９に通知するものである。
【０１５４】
ゲートキーパ９側のゲートキーパ側制御部１７は、無線基地局３Ａ（ＩＰ無線基地局３Ｂ）経由で無線端末２からの移動予告を受信した場合、この無線端末２の端末番号に対応する移動状態に“移動中”を設定すべく、端末管理テーブル１６Ｃのテーブル内容を更新するものである。
【０１５５】
また、ゲートキーパ側制御部１７では、端末管理テーブル１６Ｃ内の移動状態に“移動中”を設定した場合、移動予告解除タイマの計時動作を開始し、同移動予告解除タイマがタイムアップした場合、端末管理テーブル１６Ｃの移動状態に“なし”を設定すべく、端末管理テーブル１６Ｃのテーブル内容を更新するものである。
【０１５６】
また、ゲートキーパ側制御部１７Ｃは、無線端末２への着信要求が発生した場合、端末管理テーブル１６Ｃ内の無線端末２の端末番号に対応した位置登録中の呼出エリアに属する無線基地局３Ａ（ＩＰ無線基地局３Ｂ）に対して、同無線端末２への着信を報知するものである。
【０１５７】
また、ゲートキーパ側制御部１７は、無線基地局３Ａ（ＩＰ無線基地局３Ｂ）経由で無線端末２からの移動予告を受信した後、この無線端末２の移動先の呼出エリアに属する無線基地局３Ａ（ＩＰ無線基地局３Ｂ）経由での位置登録要求を受信する前に、同無線端末２への着信要求が発生した場合、スレ違いによる呼出不応答を回避するために、同無線端末２が位置登録中の呼出エリアに属する無線基地局３Ａ（ＩＰ無線基地局３Ｂ）の他に、周辺基地局管理テーブル１６Ｂに記憶中の基地局情報に基づき、同位置登録中の呼出エリアに隣接する周辺の無線基地局３Ａ（ＩＰ無線基地局３Ｂ）経由で同無線端末２への着信を報知するものである。
【０１５８】
尚、請求項記載の無線システムはＨ．３２３無線システム１Ｂ、無線基地局は無線基地局３Ａ又はＩＰ無線基地局３Ｂ、無線端末は無線端末２、制御装置はゲートキーパ９、移動推定検知手段は移動推定検知処理部２８、移動予告通知手段は移動予告通知部２９、周辺基地局記憶手段は周辺基地局管理テーブル１６Ｂに相当するものである。
【０１５９】
次に第３の実施の形態を示すＨ．３２３無線システム１Ｂの動作について説明する。
【０１６０】
まずは、第１移動推定検知処理にて移動予告を発信した無線端末２への着信要求発生時に関わる着信報知処理について説明する。図１２及び図１３は着信報知処理に関わるＨ．３２３無線システム１Ｂ全体の処理動作を示す動作シーケンス図である。尚、説明の便宜上、端末番号“１０００”の無線端末２が移動元の呼出エリアＡに属する“Ａ２”の無線基地局３Ａから移動先の呼出エリアＢに属する“Ｂ１”の無線基地局３Ａへの移動推定検知中に、発信端末４Ａから同無線端末２への着信要求が発生した場合を想定するものとする。また、無線基地局３Ａ及びゲートキーパ９間の通信は基地局ゲートウェイ７経由で実行されるものである。
【０１６１】
図１２及び図１３に示す着信報知処理は、移動予告を発信した無線端末２への着信要求が発生した場合、同無線端末２への着信を報知するための処理である。
【０１６２】
図１２に示す無線端末２は、移動推定検知処理部２８を通じて位置登録中の呼出エリアＡから移動先の呼出エリアＢへの移動を推定検知した場合（ステップＳ１０１）、移動予告通知部２９を通じて移動先の呼出エリアＢへの移動を予告すべく、位置登録中の呼出エリアＡの“Ａ２”の無線基地局３Ａに移動予告を通知する（ステップＳ１０２）。
【０１６３】
“Ａ２”の無線基地局３Ａは、無線端末２からの移動予告を受信した場合、同移動予告をゲートキーパ９に通知する（ステップＳ１０３）。
【０１６４】
ゲートキーパ９のゲートキーパ側制御部１７は、移動予告を受信した場合、同無線端末２の端末番号“１０００”に対応した移動状態に“移動中”を設定すべく、端末管理テーブル１６Ｃのテーブル内容を更新する（ステップＳ１０４）。
【０１６５】
ゲートキーパ側制御部１７は、同無線端末２の移動状態を“移動中”に設定した場合、移動予告解除タイマの計時動作を開始する（ステップＳ１０５）。尚、移動予告解除タイマがタイムアップした場合、同無線端末２の移動状態を“移動中”から“なし”に設定すべく、端末管理テーブル１６Ｃのテーブル内容を更新するものである。
【０１６６】
ゲートキーパ側制御部１７は、発信端末４Ａ側の無線端末２への発信操作に応じて（ステップＳ１０６）、同発信端末４Ａから、相手先の無線端末２の位置する呼出エリアの無線基地局３Ａに相当するＩＰアドレスを要求するアドレス要求（ＡＲＱ）を検出すると（ステップＳ１０７）、無線端末２の端末番号“１０００”に対応する呼出エリア及び移動状態を端末管理テーブル１６Ｃから検索する（ステップＳ１０８）。尚、ゲートキーパ側制御部１７は、呼出エリアの検索結果に基づき、同呼出エリアに対応する無線基地局３ＡのＩＰアドレスを呼出エリア内基地局管理テーブル１６Ａから検索するものである。
【０１６７】
ゲートキーパ側制御部１７は、同無線端末２の端末番号“１０００”に対応する呼出エリア及び移動状態を検索すると、同無線端末２の端末番号“１０００”に対応する移動状態が“移動中”の場合（ステップＳ１０９）、同無線端末２の位置登録中の呼出エリアに隣接する周辺の無線基地局３Ａ（ＩＰ無線基地局３Ｂ）の基地局情報を周辺基地局管理テーブル１６Ｂから検索する（ステップＳ１１０）。尚、本実施の形態では、“１０００”の無線端末２に対応する位置登録中の呼出エリアは呼出エリアＡであることから、この呼出エリアＡに対応する周辺の無線基地局３Ａ又はＩＰ無線基地局３Ｂは“Ｂ１”の無線基地局３Ａということになる。
【０１６８】
ゲートキーパ側制御部１７は、同無線端末２の位置登録中の呼出エリアの無線基地局３Ａ（ＩＰ無線基地局３Ｂ）及び周辺の無線基地局３Ａ（ＩＰ無線基地局３Ｂ）のＩＰアドレスを付与したアドレス確認（ＡＣＦ）を発信端末４Ａ側に通知する（ステップＳ１１１）。
【０１６９】
発信端末４Ａは、アドレス確認（ＡＣＦ）を受信すると、このアドレス確認（ＡＣＦ）に含まれたＩＰアドレスに基づき、同無線端末２の位置登録中の呼出エリア“Ａ”の“Ａ２”の無線基地局３Ａに着信要求（ＳＥＴＵＰ）を通知し（ステップＳ１１２）、同無線端末２の応答を監視する無線圏外判定タイマの計時動作を開始する（ステップＳ１１３）。
【０１７０】
そして、“Ａ２”の無線基地局３Ａは、発信端末４Ａからの着信要求（ＳＥＴＵＰ）に応じて同無線端末２への着信を報知すべく着呼を開始する（ステップＳ１１４）。尚、“Ａ２”の無線基地局３Ａ側は、発信端末４Ａ側の無線圏外判定タイマのタイムアップに応じて、同着呼を停止するものである。
【０１７１】
また、発信端末４Ａは、アドレス確認（ＡＣＦ）を受信すると、このアドレス確認（ＡＣＦ）に含まれたＩＰアドレスに基づき、同無線端末２の位置登録中の呼出エリア“Ａ”に隣接する周辺の“Ｂ１”の無線基地局３Ａに着信要求（ＳＥＴＵＰ）を通知し（ステップＳ１１５）、同無線端末２の応答を監視する無線圏外判定タイマの計時動作を開始する（ステップＳ１１６）。
【０１７２】
そして、“Ｂ１”の無線基地局３Ａは、発信端末２からの着信要求（ＳＥＴＵＰ）に応じて同無線端末２への着信を報知すべく着呼を開始する（ステップＳ１１７）。尚、“Ｂ１”の無線基地局３Ａ側は、発信端末４Ａ側の無線圏外判定タイマのタイムアップに応じて同着呼を停止するものである。
【０１７３】
“Ａ２”の無線基地局３Ａは、ステップＳ１１４にて同無線端末２への着呼を開始すると、発信端末４Ａからの着信要求（ＳＥＴＵＰ）を受け付けた着信受付（ＣＡＬＬＰＲＯＣ）を発信端末４Ａに通知する（ステップＳ１１８）。
【０１７４】
また、“Ｂ１”の無線基地局３Ａは、ステップＳ１１７にて同無線端末２への着呼を開始すると、発信端末４Ａからの着信要求（ＳＥＴＵＰ）を受け付けた着信受付（ＣＡＬＬＰＲＯＣ）を発信端末４Ａに通知する（ステップＳ１１９）。
【０１７５】
さらに、“Ａ２”の無線基地局３Ａは、アドレス要求（ＡＲＱ）をゲートキーパ９に通知する（ステップＳ１２０）。ゲートキーパ９は、アドレス要求（ＡＲＱ）を受信すると、発信端末４Ａが“Ａ２”の無線基地局３Ａ経由で同無線端末２への着呼中を登録管理し、アドレス確認（ＡＣＦ）を“Ａ２”の無線基地局３Ａに通知する（ステップＳ１２１）。
【０１７６】
また、“Ｂ１”の無線基地局３Ａは、アドレス要求（ＡＲＱ）をゲートキーパ９に通知する（ステップＳ１２２）。ゲートキーパ９は、アドレス要求（ＡＲＱ）を受信すると、発信端末４Ａが“Ｂ１”の無線基地局３Ａ経由で同無線端末２への着呼中を登録管理し、アドレス確認（ＡＣＦ）を“Ｂ１”の無線基地局３Ａに通知することで（ステップＳ１２３）、図１３に移行する。
【０１７７】
この結果、移動予告を発信した“１０００”の無線端末２への着信要求が発生した場合、同無線端末２が位置登録中の呼出エリアＡに属する“Ａ２”の無線基地局３Ａ及び、同呼出エリアＡに隣接する周辺の“Ｂ１”の無線基地局３Ａ経由で同無線端末２への着信を報知すべく着呼を開始したことになる。
【０１７８】
図１３において無線端末２は、“Ａ２”及び“Ｂ１”の無線基地局３Ａからの着呼の内、移動先の呼出エリアＢに属する“Ｂ１”の無線基地局３Ａからの着呼に応答した場合、同着呼応答を同“Ｂ１”の無線基地局３Ａに通知する（ステップＳ１３１）。
【０１７９】
“Ｂ１”の無線基地局３Ａは、同無線端末２の着呼応答を受信すると、着信要求（ＳＥＴＵＰ）を無線端末２に通知する（ステップＳ１３２）。
【０１８０】
無線端末２は、“Ｂ１”の無線基地局３Ａからの着信要求（ＳＥＴＵＰ）を受信すると、着呼受付（ＣＡＬＬＰＲＯＣ）を“Ｂ１”の無線基地局３Ａに通知し（ステップＳ１３３）、呼出音を鳴動出力すると共に（ステップＳ１３４）、呼出中（ＡＬＥＲＴ）を“Ｂ１”の無線基地局３Ａに通知する（ステップＳ１３５）。
【０１８１】
“Ｂ１”の無線基地局３Ａは、呼出中（ＡＬＥＲＴ）を受信した場合、呼出中（ＡＬＥＲＴ）を発信端末４Ａに通知する（ステップＳ１３６）。その結果、発信端末４Ａは、呼出中（ＡＬＥＲＴ）を受信した場合、リングバックトーン（ＲＢＴ）を出力する（ステップＳ１３７）。尚、発信端末４Ａ側のユーザは、リングバックトーン（ＲＢＴ）を受聴して相手先の無線端末２の呼出中を認識することができる。
【０１８２】
また、発信端末４Ａは、ステップＳ１３６にて“Ｂ２”の無線基地局３Ａ経由での呼出中（ＡＬＥＲＴ）を受信した場合、“Ａ２”の無線基地局３Ａ経由での無線端末２への着呼を停止すべく、同“Ａ２”の無線基地局３Ａの切断要求（ＤＲＱ）をゲートキーパ９に通知する（ステップＳ１３８）。ゲートキーパ９では、切断要求（ＤＲＱ）に応じて同“Ａ２”の無線基地局３Ａ経由での無線端末２への着呼を停止すべく、切断確認（ＤＣＦ）を発信端末４Ａに通知する（ステップＳ１３９）。
【０１８３】
発信端末４Ａは、切断確認（ＤＣＦ）を受信すると、同“Ａ２”の無線基地局３Ａに解放完了（ＲＥＬＣＯＭＰ）を通知する（ステップＳ１４０）。
【０１８４】
“Ａ２”の無線基地局３Ａは、解放完了（ＲＥＬＣＯＭＰ）を受信すると、同無線端末２への着呼を停止し、切断要求（ＤＲＱ）をゲートキーパ９に通知する（ステップＳ１４１）。ゲートキーパ９は、切断要求（ＤＲＱ）を受信した場合、同“Ａ２”の無線基地局３Ａ経由での無線端末２への着呼を停止し、切断確認（ＤＣＦ）を“Ａ２”の無線基地局３Ａに通知する（ステップＳ１４２）。
【０１８５】
この結果、発信端末４Ａは、“Ｂ１”の無線基地局３Ａ経由でのみ発信端末４Ａからの着信を無線端末２に報知することになる。
【０１８６】
無線端末２は、呼出音を鳴動出力中に、応答操作を検出すると（ステップＳ１４３）、接続要求（ＣＯＮＮ）を“Ｂ１”の無線基地局３Ａに通知する（ステップＳ１４４）。“Ｂ１”の無線基地局３Ａは、接続要求（ＣＯＮＮ）を検出すると、接続要求（ＣＯＮＮ）をゲートキーパ９に通知する（ステップＳ１４５）。
【０１８７】
ゲートキーパ９は、同“Ｂ１”の無線基地局３Ａ経由で無線端末２側の接続要求（ＣＯＮＮ）を受信した場合、応答信号を発信端末４Ａに通知する（ステップＳ１４６）。その結果、発信端末４Ａ及び無線端末２間の通話を“Ｂ１”の無線基地局３Ａ経由で確立することになる（ステップＳ１４７）。
【０１８８】
尚、ゲートキーパ９は、図１２に示すステップＳ１０５にて移動予告解除タイマの計時動作を開始した後、同移動予告解除タイマがタイムアップした場合（ステップＳ１４８）、同無線端末２の端末番号“１０００”に対応した移動状態を“移動中”から“なし”に設定すべく、端末管理テーブル１６Ｃのテーブル内容を更新し（ステップＳ１４９）、この処理動作を終了する。
【０１８９】
図１２及び図１３に示す着信報知処理によれば、第１移動推定検知処理にて無線端末２が移動先の呼出エリアへの移動推定検知中に、移動先の呼出エリアへの位置登録要求を受信する前に、同無線端末２への着信要求が発生した場合にのみ、同無線端末２の位置登録中の呼出エリアに属する無線基地局３Ａ（ＩＰ無線基地局３Ｂ）及び、同呼出エリアに隣接する周辺の無線基地局３Ａ（ＩＰ無線基地局３Ｂ）経由で同無線端末２への着信を報知するようにしたので、無線端末２の呼出エリア間の移動中による呼出不応答を確実に回避しながら、無駄な着信報知に伴うシステム全体の処理負担を大幅に軽減することができる。
【０１９０】
第３の実施の形態によれば、無線端末２が移動先の呼出エリアへの移動を推定検知した場合、ゲートキーパ９に対して、移動先の呼出エリアへの移動を予告する移動予告を通知するようにしたので、ゲートキーパ９側では移動予告に基づき、同無線端末２が移動先の呼出エリアへの移動中と判断することができるため、同無線端末２が位置登録中の呼出エリア内に位置する場合は、通常の同呼出エリア内の無線基地局３Ａ（ＩＰ無線基地局３Ｂ）経由で同無線端末２への着信を報知し、同無線端末２が移動先の呼出エリアへの移動中の場合にのみ、スレ違いによる呼出不応答を回避するための着信報知を実行することが可能となって、無駄な着信報知を軽減することができるため、その結果、スレ違いによる呼出不応答を確実に回避しながら、無駄な着信報知に伴うシステム全体の処理負担を大幅に軽減することができる。
【０１９１】
また、第３の実施の形態によれば、位置登録中の呼出エリアに属する無線基地局３Ａ（ＩＰ無線基地局３Ｂ）からの受信レベルが所定時間継続して基準レベル以下の場合、移動先の呼出エリアへの移動を推定検知するようにしたので、位置登録中の呼出エリアに属する無線基地局３Ａ（ＩＰ無線基地局３Ｂ）からの受信レベルに着目することで、位置登録中の呼出エリアの無線信号が届かなくなる前に、移動先の呼出エリアへの移動を簡単に認識することができる。
【０１９２】
また、第３の実施の形態によれば、無線端末２からの移動予告を受信した後、この無線端末２の移動先の呼出エリアに属する無線基地局３Ａ（ＩＰ無線基地局３Ｂ）経由での位置登録要求を受信する前に、同無線端末２への着信要求が発生した場合、スレ違いによる呼出不応答を回避するために、同無線端末２が位置登録中の呼出エリアに属する無線基地局３Ａ（ＩＰ無線基地局３Ｂ）に加えて、周辺基地局管理テーブル１４Ｂに記憶中の基地局情報に基づき、同位置登録中の呼出エリアに隣接する周辺の無線基地局３Ａ（ＩＰ無線基地局３Ｂ）経由で同無線端末２への着信を報知するようにしたので、同無線端末２が移動先の呼出エリアへの移動中の場合にのみ、同無線端末２が位置登録中の呼出エリアに属する無線基地局３Ａ（ＩＰ無線基地局３Ｂ）に加えて、同位置登録中の呼出エリアに隣接する周辺の無線基地局３Ａ（ＩＰ無線基地局３Ｂ）経由で同無線端末２への着信を報知する、すなわち呼出エリア単位ではなく、無線基地局単位で無駄な着信報知を最小限に抑制することができるため、その結果、スレ違いによる呼出不応答を確実に回避しながら、無駄な着信報知に伴うシステム全体の処理負担を大幅に軽減することができる。
【０１９３】
また、第３の実施の形態によれば、無線端末２が位置登録中の呼出エリア以外の呼出エリアに属する無線基地局３Ａ（ＩＰ無線基地局３Ｂ）経由で発信端末４Ａからの着信に対して同無線端末２が応答した場合、発信端末４Ａ及び無線端末２間の通信を確立するようにしたので、移動先の呼出エリアへの移動中に同無線端末２への着信要求が発生したとしても、スレ違いによる呼出不応答を確実に回避することができる。
【０１９４】
尚、上記第１乃至第３の実施の形態においては、図５に示す第１移動推定検知処理にて位置登録中の呼出エリアに属する無線基地局３Ａ（ＩＰ無線基地局３Ｂ）からの無線信号の受信レベルを測定し、誤判定防止タイマ時間継続して同受信レベルが基準レベル以下の場合、同無線端末２による移動先の呼出エリアへの移動を推定検知し、同移動先の呼出エリアへの移動を予告すべく、位置登録中の呼出エリアに属する無線基地局３Ａ（ＩＰ無線基地局３Ｂ）経由で移動予告をＰＢＸ５（ＳＩＰプロキシサーバ８又はゲートキーパ９）に通知するようにしたが、この第１移動推定検知処理の代わりに、次に説明するような第２移動推定検知処理（図１４参照）及び第３移動推定検知処理（図１５参照）のようにしても良い。
【０１９５】
図１４は第２移動推定検知処理に関わる無線端末２内部の移動検知推定処理部２８の処理動作を示すフロー図である。尚、説明の便宜上、ＰＢＸ無線システム１上での無線端末２を想定するものとする。
【０１９６】
図１４に示す第２移動推定検知処理は、同無線端末２側の移動推定検知処理部２８を通じて、現在位置登録中の呼出エリアから移動先の呼出エリアへの同無線端末２の移動を推定検知するための処理である。
【０１９７】
図１４において無線端末２側の制御部２６内の移動推定検知処理部２８は、受信レベル監視部２２を通じて位置登録中の呼出エリアに属する無線基地局３からの無線信号の受信レベル及び、同呼出エリア以外の他の呼出エリアに属する無線基地局３からの無線信号の受信レベルを測定し、同位置登録中の呼出エリアに属する無線基地局３からの無線信号の受信レベルが同呼出エリア以外の他の呼出エリアに属する無線基地局３からの無線信号の受信レベルよりも小さいか否かを判定する（ステップＳ１５１）。
【０１９８】
移動推定検知処理部２８は、位置登録中の呼出エリアに属する無線基地局３からの無線信号の受信レベルが他の呼出エリアに属する無線基地局３からの無線信号の受信レベルよりも小さい場合、位置登録中の呼出エリアに属する無線基地局３からの無線信号の受信レベルが著しく低下したものと判断し、一時的な受信レベルの低下による誤判定を防止するために誤判定防止タイマの計時動作を開始する（ステップＳ１５２）。尚、誤判定防止タイマのタイマ時間は、例えば３秒〜５秒に設定するものである。
【０１９９】
移動推定検知処理部２８は、誤判定防止タイマの計時動作を開始すると、同位置登録中の呼出エリアに属する無線基地局３からの無線信号の受信レベルが同呼出エリア以外の他の呼出エリアに属する無線基地局３からの無線信号の受信レベルよりも小さいか否かを判定する（ステップＳ１５３）。
【０２００】
移動推定検知処理部２８は、同位置登録中の呼出エリアに属する無線基地局３からの無線信号の受信レベルが同呼出エリア以外の他の呼出エリアに属する無線基地局３からの無線信号の受信レベルよりも小さい場合、ステップＳ１５２にて計時動作を開始した誤判定防止タイマがタイムアップしたか否かを判定する（ステップＳ１５４）。
【０２０１】
移動推定検知処理部２８は、誤判定防止タイマがタイムアップした場合、他の呼出エリアに属する無線基地局３からの無線信号の受信レベルの内、最大の受信レベルの無線基地局３に関わる呼出エリアを選択し（ステップＳ１５５）、この選択した呼出エリアを同無線端末２による移動先の呼出エリアとして推定検知し、移動予告通知部２９を通じて、同無線端末２の移動先の呼出エリアへの移動を予告する移動予告を、位置登録中の呼出エリアに属する無線基地局３経由でＰＢＸ５に通知することで（ステップＳ１５６）、この処理動作を終了する。
【０２０２】
また、移動推定検知処理部２８は、ステップＳ１５１にて同位置登録中の呼出エリアに属する無線基地局３からの無線信号の受信レベルが同呼出エリア以外の他の呼出エリアに属する無線基地局３からの無線信号の受信レベルよりも小さくない場合、同無線端末２が位置登録中の呼出エリア内に位置しているものと判断し、この処理動作を終了する。
【０２０３】
また、移動推定検知処理部２８は、ステップＳ１５３にて同位置登録中の呼出エリアに属する無線基地局３からの無線信号の受信レベルが同呼出エリア以外の他の呼出エリアに属する無線基地局３からの無線信号の受信レベルよりも小さくない場合、位置登録中の呼出エリアに属する無線基地局３からの無線信号の受信レベルが一時的な受信レベルの低下であると判断し、ステップＳ１５２にて計時動作を開始した誤判定防止タイマをクリアにし（ステップＳ１５７）、この処理動作を終了する。
【０２０４】
また、移動推定検知処理部２８は、ステップＳ１５４にて誤判定防止タイマがタイムアップしたのでなければ、位置登録中の呼出エリアに属する無線基地局３の受信レベルが呼出エリア以外の他の呼出エリアに属する無線基地局３からの無線信号の受信レベルよりも小さいか否かを継続監視すべく、ステップＳ１５３に移行する。
【０２０５】
図１４に示す第２移動推定検知処理によれば、位置登録中の呼出エリアに属する無線基地局３からの無線信号の受信レベル及び、同呼出エリア以外の他の呼出エリアに属する無線基地局３からの無線信号の受信レベルを測定し、誤判定防止タイマ時間継続して同位置登録中の呼出エリアに属する無線基地局３からの無線信号の受信レベルが同呼出エリア以外の他の呼出エリアに属する無線基地局３からの無線信号の受信レベルよりも小さい場合、同他の呼出エリアに属する無線基地局３からの無線信号の受信レベルの内、最大の受信レベルに関わる無線基地局３の呼出エリアを同無線端末２による移動先の呼出エリアへの移動として推定検知し、同移動先の呼出エリアへの移動を予告すべく、位置登録中の呼出エリアに属する無線基地局３経由で移動予告をＰＢＸ５に通知するようにしたので、ＰＢＸ５側では、位置登録中の呼出エリアに属する無線基地局３の受信レベル及び他の呼出エリアに属する無線基地局３の受信レベルの比較結果に着目することで、位置登録中の呼出エリアの無線信号が届かなくなる前に、無線端末２側の移動先の呼出エリアへの移動を簡単に認識することができる。
【０２０６】
また、図１５は第３移動推定検知処理に関わる無線端末２内の移動検知推定処理部２８の処理動作を示すフロー図である。尚、説明の便宜上、ＰＢＸ無線システム１上の無線端末２を想定するものとする。
【０２０７】
図１５において無線端末２側の制御部２６内の移動推定検知処理部２８は、受信レベル監視部２２を通じて、位置登録中の呼出エリアに属する無線基地局３からの無線信号の受信レベルを測定し、同受信レベルが基準レベル以下であるか否かを判定する（ステップＳ１６１）。
【０２０８】
さらに、移動推定検知処理部２８は、同受信レベルが基準レベル以下の場合、位置登録中の呼出エリア以外の他の呼出エリアに属する無線基地局３からの無線信号の受信レベルを測定し、位置登録中の呼出エリアに属する無線基地局３からの無線信号の受信レベルが同位置登録中の呼出エリア以外の他の呼出エリアに属する無線基地局３からの無線信号の受信レベルよりも小さいか否かを判定する（ステップＳ１６２）。
【０２０９】
移動推定検知処理部２８は、位置登録中の呼出エリアに属する無線基地局３からの無線信号の受信レベルが他の呼出エリアに属する無線基地局３からの無線信号の受信レベルよりも小さい場合、位置登録中の呼出エリアに属する無線基地局３からの無線信号の受信レベルが著しく低下したものと判断し、一時的な受信レベルの低下による誤判定を防止するために誤判定防止タイマの計時動作を開始する（ステップＳ１６３）。尚、誤判定防止タイマのタイマ時間は、例えば３秒〜５秒に設定するものである。
【０２１０】
移動推定検知処理部２８は、誤判定防止タイマの計時動作を開始すると、位置登録中の呼出エリアに属する無線基地局３からの無線信号の受信レベルを測定し、同受信レベルが基準レベル以下であるか否かを判定する（ステップＳ１６４）。
【０２１１】
さらに移動推定検知処理部２８は、同受信レベルが基準レベル以下の場合、同位置登録中の呼出エリアに属する無線基地局３からの無線信号の受信レベルが同呼出エリア以外の他の呼出エリアに属する無線基地局３からの無線信号の受信レベルよりも小さいか否かを判定する（ステップＳ１６５）。
【０２１２】
移動推定検知処理部２８は、同位置登録中の呼出エリアに属する無線基地局３からの無線信号の受信レベルが同呼出エリア以外の他の呼出エリアに属する無線基地局３からの無線信号の受信レベルよりも小さい場合、ステップＳ１６３にて計時動作を開始した誤判定防止タイマがタイムアップしたか否かを判定する（ステップＳ１６６）。
【０２１３】
移動推定検知処理部２８は、誤判定防止タイマがタイムアップした場合、他の呼出エリアに属する無線基地局３からの無線信号の受信レベルの内、最大の受信レベルの無線基地局３に関わる呼出エリアを選択し（ステップＳ１６７）、この選択した呼出エリアを同無線端末２による移動先の呼出エリアへの移動として推定検知し、移動予告通知部２９を通じて、同無線端末２による移動先の呼出エリアへの移動を予告する移動予告を、位置登録中の呼出エリアに属する無線基地局３経由でＰＢＸ５に通知することで（ステップＳ１６８）、この処理動作を終了する。
【０２１４】
また、移動推定検知処理部２８は、ステップＳ１６１にて位置登録中の呼出エリアに属する無線基地局３からの無線信号の受信レベルが基準レベル以下でない場合又は、ステップＳ１６２にて位置登録中の呼出エリアに属する無線基地局３からの無線信号の受信レベルが同呼出エリア以外の他の呼出エリアに属する無線基地局３からの無線信号の受信レベルよりも小さくない場合、同無線端末２が位置登録中の呼出エリア内に位置しているものと判断し、この処理動作を終了する。
【０２１５】
また、移動推定検知処理部２８は、ステップＳ１６４にて位置登録中の呼出エリアに属する無線基地局３からの無線信号の受信レベルが基準レベル以下でない場合又は、ステップＳ１６５にて位置登録中の呼出エリアに属する無線基地局３からの無線信号の受信レベルが同呼出エリア以外の他の呼出エリアに属する無線基地局３からの無線信号の受信レベルよりも小さくない場合、位置登録中の呼出エリアに属する無線基地局３からの無線信号の受信レベルが一時的な受信レベルの低下であると判断し、ステップＳ１６３にて計時動作を開始した誤判定防止タイマをクリアにし（ステップＳ１６９）、この処理動作を終了する。
【０２１６】
また、移動推定検知処理部２８は、ステップＳ１６６にて誤判定防止タイマがタイムアップしたのでなければ、位置登録中の呼出エリアに属する無線基地局３の受信レベルが基準レベル以下であるか否かを継続監視すべく、ステップＳ１６４に移行する。
【０２１７】
図１５に示す第２移動推定検知処理によれば、位置登録中の呼出エリアに属する無線基地局３からの無線信号の受信レベルが基準レベル以下、さらに同位置登録中の呼出エリアに属する無線基地局３からの無線信号の受信レベルが他の呼出エリアに属する無線基地局３からの無線信号の受信レベルよりも小さい状態が誤判定防止タイマ時間継続した場合、同他の呼出エリアに属する無線基地局３からの無線信号の受信レベルの内、最大の受信レベルに関わる無線基地局３の呼出エリアを同無線端末２による移動先の呼出エリアへの移動として推定検知し、同移動先の呼出エリアへの移動を予告すべく、位置登録中の呼出エリアに属する無線基地局３経由で移動予告をＰＢＸ５に通知するようにしたので、ＰＢＸ５側では、位置登録中の呼出エリアに属する無線基地局３の受信レベル、さらには、位置登録中の呼出エリアに属する無線基地局３の受信レベル及び他の呼出エリアに属する無線基地局３の受信レベルの比較結果に着目することで、位置登録中の呼出エリアの無線信号が届かなくなる前に、無線端末２側の移動先の呼出エリアへの移動を正確かつ簡単に認識することができる。
【０２１８】
また、上記第１乃至第３の実施の形態においては、無線端末２の移動予告を受信した後、同無線端末２の移動先の呼出エリアに属する無線基地局３経由での位置登録要求を受信する前に、同無線端末２への着信要求を発生した場合、スレ違いによる呼出不応答を回避するために、同無線端末２の位置登録中の呼出エリアに属する無線基地局３の他に、図２に示す周辺基地局管理テーブル１４Ｂのテーブル内容に基づき、同位置登録中の呼出エリアに隣接する周辺の無線基地局３経由で同無線端末２への着信を報知するようにしたが、無線基地局単位ではなく、図１６に示すように呼出エリア毎に隣接する呼出エリアを管理し、無線端末２の移動予告を受信した後、同無線端末２の移動先の呼出エリアに属する無線基地局３経由での位置登録要求を受信する前に、同無線端末２への着信要求が発生した場合、同無線端末２の位置登録中の呼出エリアに属する無線基地局３の他に、図１６に示す周辺呼出エリア管理テーブル１８Ａのテーブル内容に基づき、同位置登録中の呼出エリアに隣接する周辺の呼出エリアに属する無線基地局３経由で同無線端末２への着信を報知するようにしても同様の効果が得られることは言うまでもない。
【産業上の利用可能性】
【０２１９】
本発明の無線システムによれば、無線端末が移動先の呼出エリアへの移動を推定検知した場合、制御装置に対して、前記移動先の呼出エリアへの移動を予告する移動予告を通知するようにしたので、例えば制御装置側では移動予告に基づき、同無線端末が移動先の呼出エリアへの移動中と判断することができるため、同無線端末が位置登録中の呼出エリア内に位置する場合は、通常の同呼出エリア内の無線基地局経由で同無線端末への着信を報知し、同無線端末が移動先の呼出エリアへの移動中の場合にのみ、スレ違いによる呼出不応答を回避するための着信報知を実行することが可能となって、無駄な着信報知を軽減することができるため、その結果、スレ違いによる呼出不応答を確実に回避しながら、無駄な着信報知に伴うシステム全体の処理負担を大幅に軽減することができることから、例えばＰＢＸ無線システム、ＳＩＰ無線システムやＨ．３２３無線システム等に有用である。
【図面の簡単な説明】
【０２２０】
【図１】本発明の無線システムに関わる第１の実施の形態を示すＰＢＸ無線システム内部の概略構成を示すブロック図
【図２】第１の実施の形態に関わる周辺基地局管理テーブルのテーブル内容を端的に示す説明図
【図３】第１の実施の形態に関わる端末管理テーブルのテーブル内容を端的に示す説明図
【図４】第１の実施の形態に関わる無線端末内部の概略構成を示すブロック図
【図５】第１の実施の形態に関わる無線端末側の第１移動推定検知処理に関わる処理動作を示すフロー図
【図６】第１の実施の形態の着信報知処理に関わるＰＢＸ無線システム全体の処理動作を示す動作シーケンス図
【図７】第１の実施の形態の着信報知処理に関わるＰＢＸ無線システム全体の処理動作を示す動作シーケンス図
【図８】第２の実施の形態を示すＳＩＰ無線システム内部の概略構成を示すブロック図
【図９】第２の実施の形態の着信報知処理に関わるＳＩＰ無線システム全体の処理動作を示す動作シーケンス図
【図１０】第２の実施の形態の着信報知処理に関わるＳＩＰ無線システム全体の処理動作を示す動作シーケンス図
【図１１】第３の実施の形態を示すＨ．３２３無線システム内部の概略構成を示すブロック図
【図１２】第３の実施の形態の着信報知処理に関わるＨ．３２３無線システム全体の処理動作を示す動作シーケンス図
【図１３】第３の実施の形態の着信報知処理に関わるＨ．３２３無線システム全体の処理動作を示す動作シーケンス図
【図１４】図５の第１移動推定検知処理の代替案である第２移動推定検知処理に関わる処理動作を示すフロー図
【図１５】図５の第１移動推定検知処理の代替案である第３移動推定検知処理に関わる処理動作を示すフロー図
【図１６】図２の周辺基地局管理テーブルの代替案である周辺呼出エリア管理テーブルのテーブル内容を端的に示す説明図
【符号の説明】
【０２２１】
１  ＰＢＸ無線システム（無線システム）
１Ａ  ＳＩＰ無線システム（無線システム）
１Ｂ  Ｈ．３２３無線システム（無線システム）
２  無線端末
３  無線基地局
３Ａ  無線基地局
３Ｂ  ＩＰ無線基地局（無線基地局）
５  ＰＢＸ（制御装置）
８  ＳＩＰプロキシサーバ（制御装置）
９  ゲートキーパ（制御装置）
１２Ｂ  周辺基地局管理テーブル（周辺基地局記憶手段）
１４Ｂ  周辺基地局管理テーブル（周辺基地局記憶手段）
１６Ｂ  周辺基地局管理テーブル（周辺基地局記憶手段）
１８Ａ  周辺エリア管理テーブル（周辺呼出エリア記憶手段）
２８  移動推定検知処理部（移動推定検知手段）
２９  移動予告通知部（移動予告通知手段）
【図１】
2009038590.tif 000003
【図２】
2009038590.tif 000004
【図３】
2009038590.tif 000005
【図４】
2009038590.tif 000006
【図５】
2009038590.tif 000007
【図６】
2009038590.tif 000008
【図７】
2009038590.tif 000009
【図８】
2009038590.tif 000010
【図９】
2009038590.tif 000011
【図１０】
2009038590.tif 000012
【図１１】
2009038590.tif 000013
【図１２】
2009038590.tif 000014
【図１３】
2009038590.tif 000015
【図１４】
2009038590.tif 000016
【図１５】
2009038590.tif 000017
【図１６】
2009038590.tif 000018